(57)【要約】【課題】  １又は２以上の番組のグループ化，グループ単位で番組を管理することが可能なグループ番組処理方法，グループ番組処理装置，およびコンピュータプログラムを提供する。【解決手段】  上記グループ番組処理方法については，少なくとも番組の属性ごとに１又は２以上の番組がグループ番組としてグループ化され，該グループ化された各々の番組に関する番組情報を含むグループ番組情報を取得する取得処理と，グループ番組情報に含まれる各々の番組情報に基づき，該グループ番組内に属す番組全体の処理状況を少なくとも示すグループ番組のステータス情報を生成する生成処理と，前記グループ番組情報と前記グループ番組のステータス情報とに基づき，前記グループ番組の一覧表であるグループ番組表を画面に表示させる表示制御処理とを含むことを特徴としている。【選択図】    図１
2005286388.tif 000002
【特許請求の範囲】
【請求項１】
少なくとも番組の属性ごとに１又は２以上の番組がグループ番組としてグループ化され，該グループ化された各々の番組に関する番組情報を含むグループ番組情報を取得する取得処理と；
前記グループ番組情報に含まれる各々の番組情報に基づき，該グループ番組内に属す番組全体の処理状況を少なくとも示す前記グループ番組のステータス情報を生成する生成処理と；
前記グループ番組情報と前記グループ番組のステータス情報とに基づき，前記グループ番組の一覧表であるグループ番組表を画面に表示させる表示制御処理と；
を含むことを特徴とする，グループ番組処理方法。
【請求項２】
前記取得処理は，前記グループ番組情報をネットワーク又は放送波を介して取得することを特徴とする，請求項１に記載のグループ番組処理方法。
【請求項３】
前記グループ番組情報は，前記グループ番組内に属する各々の番組に関する番組情報を識別するための番組識別情報を含むことを特徴とする，請求項１に記載のグループ番組処理方法。
【請求項４】
前記グループ番組のステータス情報には，該グループ番組の放送経過，再放送経過，視聴状況，録画状況，または録画予約状況を示すステータスが少なくとも一つ含まれることを特徴とする，請求項１に記載のグループ番組処理方法。
【請求項５】
前記グループ番組処理方法は，視聴者からグループ番組を録画予約する指示を受付けると，該グループ番組に構成された番組の放送経過のステータスが放送開始待ちの全ての番組について，番組の録画予約の指示をする録画予約指示処理をさらに含むことを特徴とする，請求項４に記載のグループ番組処理方法。
【請求項６】
前記再放送経過のステータスが番組の再放送の決定を表わす再放送決定ステータスである場合，前記グループ番組に属する全ての番組について，自動的に録画予約の指示をする録画予約指示処理をさらに含むことを特徴とする，請求項４に記載のグループ番組処理方法。
【請求項７】
前記グループ番組情報には，グループ番組のタイトル，グループ番組情報を識別するグループ番組識別情報が含まれることを特徴とする，請求項１に記載のグループ番組処理方法。
【請求項８】
前記グループ番組表は，視聴者からの指示を受付けて加工した視聴者の好むグループ番組から構成された一覧表であることを特徴とする，請求項１に記載のグループ番組処理方法。
【請求項９】
前記番組の属性は，ジャンルであることを特徴とする，請求項１に記載のグループ番組処理方法。
【請求項１０】
前記グループ番組のステータス情報を生成する生成処理は，前記グループ番組に構成された番組全体のうち既に放送した番組の割合を，該グループ番組のステータス情報を生成する際に，少なくとも設定することを特徴とする，請求項１に記載のグループ番組処理方法。
【請求項１１】
少なくとも番組の属性ごとに１又は２以上の番組がグループ番組としてグループ化され，該グループ化された各々の番組に関する番組情報を含むグループ番組情報を取得する取得部と；
前記グループ番組情報に含まれる各々の番組情報に基づき，該グループ番組内に属す番組全体の処理状況を少なくとも示す前記グループ番組のステータス情報を生成する生成部と；
前記グループ番組情報と前記グループ番組のステータス情報とに基づき，前記グループ番組の一覧表であるグループ番組表を画面に表示させる表示制御部と；
を備えることを特徴とする，グループ番組処理装置。
【請求項１２】
前記取得部は，前記グループ番組情報をネットワーク又は放送波を介して取得することを特徴とする，請求項１１に記載のグループ番組処理装置。
【請求項１３】
前記グループ番組情報は，前記グループ番組のタイトルと，該グループ番組に構成された各々の番組に関する番組情報を識別するための番組識別情報とを含むことを特徴とする，請求項１１に記載のグループ番組処理装置。
【請求項１４】
前記グループ番組のステータス情報には，該グループ番組の放送経過，再放送経過，視聴状況，録画状況，または録画予約状況を示すステータスが少なくとも一つ含まれることを特徴とする，請求項１１に記載のグループ番組処理装置。
【請求項１５】
前記グループ番組処理方法は，視聴者からグループ番組を録画予約する指示を受付けると，該グループ番組に構成された番組の放送経過のステータスが放送開始待ちの全ての番組について，番組の録画予約の指示をする録画予約指示部をさらに含むことを特徴とする，請求項１４に記載のグループ番組処理装置。
【請求項１６】
前記再放送経過のステータスが番組の再放送の決定を表わす再放送決定ステータスである場合，前記グループ番組に属する全ての番組について，自動的に録画予約の指示する録画予約指示部をさらに含むことを特徴とする，請求項１４に記載のグループ番組処理装置。
【請求項１７】
前記グループ番組情報には，グループ番組のタイトル，グループ番組情報を識別するグループ番組識別情報が含まれることを特徴とする，請求項１１に記載のグループ番組処理装置。
【請求項１８】
前記グループ番組表は，視聴者からの指示を受付けて加工した視聴者の好むグループ番組から構成された一覧表であることを特徴とする，請求項１１に記載のグループ番組処理装置。
【請求項１９】
少なくとも番組の属性ごとに１又は２以上の番組がグループ番組としてグループ化され，該グループ化された各々の番組に関する番組情報を含むグループ番組情報を取得する取得処理と；
前記グループ番組情報に含まれる各々の番組情報に基づき，該グループ番組内に属す番組全体の処理状況を少なくとも示す前記グループ番組のステータス情報を生成する生成処理と；
前記グループ番組情報と前記グループ番組のステータス情報とに基づき，前記グループ番組の一覧表であるグループ番組表を画面に表示させる表示制御処理と；
が含まれるグループ番組処理方法をコンピュータに実行させることを特徴とする，コンピュータプログラム。
【発明の詳細な説明】
【技術分野】
【０００１】
本発明は，グループ化された番組からグループ番組表を処理するグループ番組処理方法，グループ番組処理装置，およびコンピュータプログラムに関する。
【背景技術】
【０００２】
現在では，大容量のブロードバンド通信など通信インフラの整備，ハードディスクなどの記録メディアの大容量化によって，膨大な数の番組，ディジタル写真画像，音楽などのコンテンツを記憶することが可能となってきている。
【０００３】
また，放送形式も多様化している。地上波アナログ放送，地上波ディジタル放送，またはＢＳディジタル放送など，地上波放送，衛星放送を含め様々な放送形式で，日々様々なジャンルの番組が放送されている。
【０００４】
したがって，数多くの番組を効率的に視聴するため，番組を管理する必要があった。例えば，録画番組について，視聴機会が与えられないまま記録メディアに記録された番組が削除されてしまう場合等を防ぐため，番組の視聴状態等をステータス情報として保有することで，番組単位で番組を管理するシステムが存在している（特許文献１参照）。
【０００５】
【特許文献１】特開２００２−４４５８４号公報
【発明の開示】
【発明が解決しようとする課題】
【０００６】
しかしながら，個々の番組でステータス情報が作成されるため，番組の数が増えれば，その分，管理対象の番組が増加し，ステータス情報から該当する番組を検索する検索処理が効率的ではなく，結果的にユーザが目的とする番組の状況を効率良く把握するのが難しかった。
【０００７】
また，前編・後編など複数回に渡って放送することで１つのストーリーが完結する場合など複数の番組を一つのグループに統括し，番組の放送から視聴までを総合して，グループ単位でステータスを管理すること等が要望されていた。
【０００８】
本発明は，上記問題点に鑑みてなされたものであり，本発明の目的は，グループ化された１又は２以上の番組をグループ単位で管理処理等することが可能な，新規かつ改良されたグループ番組処理方法，グループ番組処理装置，およびコンピュータプログラムを提供することである。
【課題を解決するための手段】
【０００９】
上記課題を解決するため，本発明の観点によれば，少なくとも番組の属性ごとに１又は２以上の番組がグループ番組としてグループ化され，該グループ化された各々の番組に関する番組情報を含むグループ番組情報を取得する取得処理と，グループ番組情報に含まれる各々の番組情報に基づき，該グループ番組内に属す番組全体の処理状況を少なくとも示すグループ番組のステータス情報を生成する生成処理と，前記グループ番組情報と前記グループ番組のステータス情報とに基づき，前記グループ番組の一覧表であるグループ番組表を画面に表示させる表示制御処理とを含むことを特徴としている。
【００１０】
本発明によれば，グループ番組処理方法は，１又は２以上の番組をある属性でグループ化し，グループ化された１又は２以上の番組を抽象化したグループ番組をその番組の代表とする。グループ番組に関連するグループ番組情報は，上記グループ内に属する番組全体の処理状況を示すステータス情報を含んでいる。かかる構成によれば，個々の番組の処理状況まで画面に表示せずとも，その番組が属するグループ全体の例えば放送経過等の処理状況を表示すれば，利用者は個々の番組の処理状況を容易に予想または把握することができる上に，個々の番組全ての状況を画面に表示するための処理が不要になるため，表示処理などの処理効率を向上させることができる。
【００１１】
取得処理は，グループ番組情報をネットワーク又は放送波を介して取得するように構成してもよい。かかる構成により，グループ番組情報を取得する際に，ネットワーク又は放送波と通信媒体に左右されず情報を汎用的に取得できる。なお，ネットワーク又は放送波に限定されず，例えば無線等の場合であっても良い。
【００１２】
グループ番組情報は，グループ番組に構成された各々の番組に関する番組情報を識別するための番組識別情報を含むように構成してもよい。かかる構成により，グループ番組情報に番組情報を含ませる場合よりもグループ番組情報のデータ容量を軽減でき，グループ番組情報を送受信する際のデータ通信効率の向上化を図れる。また，グループ番組情報に含む番組識別情報から番組情報を特定することができる。なお，グループ番組情報にグループ番組のタイトルを含めてもよい。
【００１３】
グループ番組のステータス情報には，該グループ番組の放送経過，再放送経過，視聴状況，録画状況，または録画予約状況を示すステータスが少なくとも一つ含まれるように構成してもよい。かかる構成により，グループ番組のグループ内に属する番組全体の各ステータスを画面に表示させることができ，ユーザは番組全体のステータスを把握し，グループ番組に属する番組全体を管理することができる上，個々の番組のステータスまで大方予測することが出来る。
【００１４】
グループ番組処理方法は，視聴者からグループ番組を録画予約する指示を受付けると，該グループ番組に構成された番組の放送経過のステータスが放送開始待ちの全ての番組について，番組の録画予約をする録画予約処理をさらに含むように構成してもよい。かかる構成により，番組ごとに録画予約せずに，一括してグループ番組に属する番組について録画予約できるため録画予約処理の効率化が図れる。
【００１５】
再放送経過のステータスが番組の再放送の決定を表わす再放送決定ステータスである場合，前記グループ番組に属する全ての番組について，自動的に録画予約する録画予約処理をさらに含むように構成してもよい。かかる構成により，再放送番組ごとに録画予約せずに，一括してグループ番組に属する再放送番組について録画予約できるため録画予約処理の効率化が図れる。
【００１６】
グループ番組情報には，グループ番組のタイトル，グループ番組情報を識別するグループ番組識別情報が含まれるように構成してもよい。かかる構成により，各番組に関する番組情報を指定した場合，上記指定した番組情報に属するグループ番組情報を特定することができる。
【００１７】
グループ番組表は，視聴者からの指示を受付けて加工した視聴者の好むグループ番組から構成された一覧表であるように構成してもよい。かかる構成により，各視聴者による少なくとも録画予約等の処理効率の向上化を図れる。
【００１８】
番組の属性は，ジャンルであるように構成してもよい。かかる構成により，ジャンルごとに１又は２以上の番組をグループ化することができる。なお，ジャンルに限られず，タイトル，チャンネル等の場合でもよい。
【００１９】
グループ番組表は，同軸上にタイトル，録画予約，放送日時，視聴状況を少なくとも項目名とし，該項目ごとに，その項目に対応する情報が表示されたグループ番組の一覧表であるように構成してもよい。かかる構成により，番組表から番組を確認するのと同じ要領でユーザはグループ番組表からグループ番組を確認することができる。
【００２０】
グループ番組のステータス情報を生成する生成処理は，グループ番組に構成された番組全体のうち既に放送した番組の割合を，該グループ番組のステータス情報を生成する際に，少なくとも設定するように構成してもよい。係る構成により，ユーザはグループ番組内に属する番組全体の進捗度を容易に把握することができる。
【００２１】
番組情報は，該番組情報を識別するための番組識別情報であるように構成してもよい。かかる構成により，グループ番組情報のデータ容量の軽量化が図れる。
【００２２】
また，上記課題を解決するため，本発明の別の観点によれば，グループ番組処理装置は，少なくとも番組の属性ごとに１又は２以上の番組がグループ番組としてグループ化され，該グループ化された各々の番組に関する番組情報を含むグループ番組情報を取得する取得部と，グループ番組情報に含まれる各々の番組情報に基づき，該グループ番組内に属す番組全体の処理状況を少なくとも示すグループ番組のステータス情報を生成する生成部と，グループ番組情報とグループ番組のステータス情報とに基づき，グループ番組の一覧表であるグループ番組表を画面に表示させる表示制御部とを備えることを特徴としている。
【００２３】
本発明によれば，グループ番組処理装置は，１又は２以上の番組をある属性でグループ化し，グループ化された１又は２以上の番組を抽象化したグループ番組をその番組の代表とする。グループ番組に関連するグループ番組情報は，上記グループ内に属する番組全体の処理状況を示すステータス情報を含んでいる。かかる構成によれば，個々の番組の処理状況まで画面に表示せずとも，その番組が属するグループ全体の例えば放送経過等の処理状況を表示すれば，利用者は個々の番組の処理状況を容易に予想または把握することができる上に，個々の番組全ての状況を画面に表示するための処理が不要になるため，グループ番組処理装置の表示処理等の処理効率を向上させることができる。
【００２４】
取得部は，グループ番組情報をネットワーク又は放送波を介して取得するように構成してもよい。かかる構成により，グループ番組処理装置がグループ番組情報を取得する際に，ネットワーク又は放送波と通信媒体に左右されず目的の情報を汎用的に取得できる。
【００２５】
グループ番組情報は，グループ番組のタイトルと，該グループ番組に構成された各々の番組に関する番組情報を識別するための番組識別情報とを含むように構成してもよく，グループ番組のステータス情報には，該グループ番組の放送経過，再放送経過，視聴状況，録画状況，または録画予約状況を示すステータスが少なくとも一つ含まれるように構成してもよい。
【００２６】
グループ番組処理装置は，視聴者からグループ番組を録画予約する指示を受付けると，該グループ番組に構成された番組の放送経過のステータスが放送開始待ちの全ての番組について，番組の録画予約の指示をする録画予約部をさらに含むように構成してもよい。
【００２７】
再放送経過のステータスが番組の再放送の決定を表わす再放送決定ステータスである場合，グループ番組に属する全ての番組について，自動的に録画予約の指示をする録画予約指示部をさらに含むように構成してもよい。
【００２８】
グループ番組情報には，グループ番組のタイトル，グループ番組情報を識別するグループ番組識別情報が含まれるように構成してもよく，グループ番組表は，視聴者からの指示を受付けて加工した視聴者の好むグループ番組から構成された一覧表であるように構成してもよい。
【００２９】
また，上記課題を解決するため，本発明の別の観点によれば，少なくとも番組の属性ごとに１又は２以上の番組がグループ番組としてグループ化され，該グループ化された各々の番組に関する番組情報を含むグループ番組情報を取得する取得処理と，グループ番組情報に含まれる各々の番組情報に基づき，該グループ番組内に属す番組全体の処理状況を少なくとも示すグループ番組のステータス情報を生成する生成処理と，グループ番組情報とグループ番組のステータス情報とに基づき，グループ番組の一覧表であるグループ番組表を画面に表示させる表示制御処理とが含まれるグループ番組処理方法をコンピュータに実行させることを特徴としている。
【発明の効果】
【００３０】
以上説明したように，本発明によれば，１又は２以上の番組を適当な属性でグループ化することで，グループ単位で番組を管理することが可能となる。また，当該グループ内の番組に関する番組情報を統括するグループ情報を生成することで，番組全体の放送状況や，録画予約状況等のステータスを容易に画面表示または提供することができる。
【発明を実施するための最良の形態】
【００３１】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００３２】
（グループ番組表提供システム）
まず，図１を参照しながら，本実施の形態にかかるグループ番組表提供システム１００について説明する。図１は，本実施の形態にかかるグループ番組表提供システムの概略的な構成を示すブロック図である。
【００３３】
図１に示すように，本実施の形態にかかるグループ番組表提供システム１００は，主にサービスを利用する利用者側と，サービスを提供する提供者側との２つに区分される。上記利用者側には，少なくとも利用者端末１０１と，録画端末１１７と，制御端末１１８とから少なくとも構成されている。なお，上記利用者端末１０１，録画端末１１７，および制御端末１１８は各１台から構成される場合を例に挙げて説明するが，かかる例に限定されず複数台の場合でもよい。
【００３４】
上記利用者端末１０１は，番組情報の一部であるＥＰＧ情報または番組メタ情報を放送波またはネットワーク１０３を介して受信，または映像等を受信し，画面に表示する機能を有する。なお，放送波を介して，番組情報を識別する番組識別情報を受信した場合，上記番組識別情報に該当する番組情報を，ネットワーク１０３を介して受信する。番組情報は，後程説明するが，ＥＰＧ情報，番組メタ情報などの番組に関わる情報の総称である。
【００３５】
上記ネットワーク１０３は，図１に示すように，ネットワーク１０３ａとネットワーク１０３ｂとから少なくとも構成される。ネットワーク１０３ａは，例えば，ＣＡＴＶ（ケーブルテレビ）用に番組を利用者側に配信し，また利用者端末１０１とメールサーバ１２５との間を接続し，双方向にデータを送受信する。また，ネットワーク１０３ｂは，例えば，利用者端末１０１とトランザクションサーバ１２７との間を接続し，双方向にデータを送受信する。
【００３６】
利用者端末１０１は，図１に示すように，ＴＶ（テレビジョン），ＳＴＢ（セット・トップ・ボックス），携帯電話，ＰＤＡ（Ｐｅｒｓｏｎａｌ  Ｄｉｇｉｔａｌ  Ａｓｓｉｓｔａｎｔ），またはＰＣ（Ｐｅｒｓｏｎａｌ  Ｃｏｍｐｕｔｅｒ）を例示することができるが，かかる例に限定されない。
【００３７】
上記録画端末１１７は，利用者端末１０１からの録画予約要求情報に基づき番組を録画する機能等を有する。また録画端末１１７は，ＰＶＲ（Ｐｅｒｓｏｎａｌ
Ｖｉｄｅｏ Ｒｅｃｏｒｄｅｒ），ＶＨＳなどの方式でテープに録画するＶＴＲ（Ｖｉｄｅｏ Ｔａｐｅ  Ｒｅｃｏｒｄｅｒ）などを例示することができるが，かかる例に限定されない。なお，録画予約要求情報は，グループ情報（グループ番組情報），番組情報，それらのステータス（処理状況）情報に基づき生成されるが，後程説明する。
【００３８】
なお，利用者端末１０１等に処理や操作等を指示する制御端末１１８は，携帯電話１１８ａを例に挙げることができるが，かかる例に限定されず，例えば，赤外線等で利用者端末１１０に指示可能なリモートコントローラ（以下，リモコン）などの場合でも実施することができる。
【００３９】
次に，上記提供側には，放送局１０２（１０２ａ，１０２ｂ，…，１０２ｎ）と，委託放送事業者１１９（１１９ａ，１１９ｂ，…，１１９ｎ），受託放送事業者（１２１ａ，１２１ｂ，…，１２１ｎ），ＥＣＧサービス会社１０５，コンテンツ提供会社（コンテンツプロバイダー）１０４とから少なくとも構成される。なお，利用者端末１０１又は放送局１０２は，グループ情報等を処理し，グループ番組表を作成等するグループ番組処理装置に該当する。
【００４０】
上記放送局１０２は，放送系，ＣＡＴＶ系，通信系と大別することができ，上記放送系には，地上波アナログ放送，地上波ディジタル放送，ＢＳアナログ，ＢＳディジタル，１２４度・１２８度ＣＳ放送，１１０度ＣＳ放送などを例示することができ，例えば，放送局１０２ａは，１２４度／１２８度のＣＳ（Ｃｏｍｍｕｎｉｃａｔｉｏｎ  Ｓａｔｅｌｌｉｔｅ）放送，ＣＳディジタル放送などを例示することができる。
【００４１】
また，上記ＣＡＴＶ系には，ＣＡＴＶディジタル放送，ＣＡＴＶアナログ放送などを例示することができ，上記通信系には，光ファイバ，ＡＤＳＬ，または電話モデムまたは携帯電話映像サービス等によるブロードバンド放送（ＢＢ放送）等を例示することができる。なお，携帯電話映像サービスは，例えばパケット通信などにより動画や，静止画，音楽などのコンテンツを配信するサービスである。
【００４２】
放送局１０２は，放送波などの電波をアップリンクまたはダウンリンクすることで，番組を利用者に伝送する。また，利用者から伝送された番組を視聴した分の料金等の徴収を行う。
【００４３】
また，放送局１０２は，利用者端末１０１に対して，各種の放送番組を放送するとともに，データ放送としてグループ情報，ＥＰＧ情報，番組メタ情報などを管理または送出している。利用者端末１０１は，例えば，グループ情報，上記ＥＰＧ情報を受信することにより，ＥＰＧ（（Ｅｌｅｃｔｒｉｃ  Ｐｒｏｇｒａｍ  Ｇｕｉｄｅ：電子番組表）形式のグループ番組表を表示することが可能になる。
【００４４】
グループ情報は，１又は２以上の番組をグループ化したグループ番組を管理する管理情報である。グループ番組は，上記グループ内に含まれる番組を統括し，グループを代表する仮想的な番組である。グループ情報については，詳細は後述するが，グループ情報は，ＥＰＧ情報を識別するための番組識別情報や，グループ番組のタイトル等の情報を含む。
【００４５】
なお，本実施の形態にかかるグループ番組表は，放送局１０２または受託放送事業者１２１で放送する場合を例に挙げて説明するが，かかる例に限定されない。例えば，ラジオ番組等のグループ番組表などの場合であってもよい。なお，グループ番組表については，後程詳述する。
【００４６】
受託放送事業者１２１は，放送局１０２と同様に番組を放送するとともに，グループ情報，放送される番組の内容等を含む番組情報や，番組に関連する書籍等のコンテンツ情報を管理し，グループ情報提供サービスや，ＥＰＧサービス，及びＥＣＧ（Ｅｌｅｃｔｒｉｃ  Ｃｏｎｔｅｎｔ  Ｇｕｉｄｅ）サービスを行う。なお，グループ情報，上記ＥＰＧ，ＥＣＧについては後述する。また，番組情報は，後程説明するが，ＥＰＧ情報，番組メタ情報などの番組に関わる情報の総称である。
【００４７】
コンテンツ提供会社１０４（コンテンツホルダ）は，多種多様なコンテンツの実体を制作，管理，および提供する企業である。コンテンツホルダは，コンテンツにかかるコンテンツメタ情報も同様に作成する。制作されたコンテンツメタ情報は，ＥＣＧサービス会社１０５に提供される。
【００４８】
委託放送事業者１１９は，チャンネルを提供する企業であり，番組の制作や，番組の編成・送出等もする。例えば，委託放送事業者は，例えば，番組供給会社（番供）などを例示することができる。
【００４９】
ＥＣＧサービス会社１０５では，ＥＣＧサービス利用のため，放送局１０２又は受託放送事業者１２１からの依頼により，放送局１０２又は受託放送事業者１２１からの番組メタ情報と，コンテンツ提供会社１０４から提供されるコンテンツメタ情報とを紐付ける。また，グループ情報と上記コンテンツメタ情報とも紐付ける。
【００５０】
さらに，図１に示すように，放送局１０２には，番組の編成や番組の制作，ＥＰＧ情報の生成，番組の送出等をする放送設備装置１２６が備わる。放送設備装置１２６は，上記の通り，グループ情報と番組情報の作成や，編成を行い，グループ情報，番組情報，及びコンテンツ情報を管理し，グループ情報提供サービスを行う。
【００５１】
委託放送事業者１１９は，制作／編成装置１３１を備え，上記ＥＰＧ制作／編成装置１３１は，グループ情報または番組情報を作成，編成し，編成された番組情報等を定期的に受託放送事業者１２１に送信する。なお，制作／編成装置１３１は，コンテンツ情報を制作／編成してもよい。
【００５２】
受託放送事業者１２１は，送出装置１３３を備え，送出装置１３３によって，委託放送事業者１１９から送信されたグループ情報，番組情報，またはコンテンツ情報のうち少なくとも一つを管理し，送出することで，ＥＰＧ形式のグループ番組表などを表示可能なＥＰＧサービス，またはＥＣＧサービスが行われる。また，コンテンツ情報に基づき，コンテンツメタ情報を生成してもよい。
【００５３】
なお，上記送出装置１３３は，グループ情報，番組情報，またはコンテンツ情報のうち少なくとも一つをグループ化装置１２２に送出する際に，放送波配信用とネットワーク１０３を介して送信するためのネットワーク配信用と，２種類の情報を送信可能なように，上記種類ごとに別体として装置が構成されてもよい。
【００５４】
また，送出装置１３３は，各放送局１０２からの編成情報などを取得し，電子番組表（ＥＰＧ）形式のグループ情報（グループ番組情報）または番組情報などを生成する。なお，外部で生成された番組情報を取得してもよい。編成情報は，番組をスケジュール通り放送し，番組を進行するための情報である。
【００５５】
グループ情報または番組情報は，グループ化装置１２２等から一括して利用者端末１０１に放送波を介して配信されるが，コンテンツの詳細情報等に該当するコンテンツメタ情報等，その他の付加的なＥＣＧ（Ｅｌｅｃｔｒｏｎｉｃ  Ｃｏｎｔｅｎｔｓ  Ｇｕｉｄｅ）情報は，サービスの提供側である放送局１０２等内で独自に管理することができる。
【００５６】
なお，上記グループ化装置１２２から放送波を介してグループ情報またはＥＰＧ情報等を送出する場合に限定されず，クライアント／サーバシステムによって，例えばネットワーク１０３ａを介して利用者端末１０１からの要求に応じて提供する場合でもよい。また，上記放送設備装置１２６の場合もサーバ機能を有することによってＥＰＧ情報等を提供してもよい。
【００５７】
コンテンツ提供会社１０４は，制作装置１３５を備え，上記制作装置１３５は，例えば，番組情報に関連付けられるコンテンツメタ情報等のメタ情報を制作する。制作されたコンテンツメタ情報等は，ＥＣＧサービス会社１０５に提供される。
【００５８】
ＥＣＧサービス会社１０５には，編成／送出装置１３７を備え，上記編成／送出装置１３７は，番組メタ情報等の番組情報とコンテンツメタ情報とを紐付け処理する。また，番組情報とグループ情報とを紐付け処理する。紐付けられた番組情報およびコンテンツメタ情報や，紐付けられた番組情報及びグループ情報は，放送波又はネットワーク１０３を介して利用者側に提供される。
【００５９】
したがって，例えば，番組メタ情報を指定すれば，利用者は当該番組メタ情報に関連付けられたコンテンツメタ情報を取得でき，書籍等のコンテンツ情報を購入することができる。また，例えばＥＰＧ情報を特定すれば，当該番組の属するグループ情報を取得することができ，グループに属する他の番組情報にアクセスすることができる。さらに，グループ情報に含まれる番組識別情報（ＥＰＧ情報ＩＤ等。）から番組情報にアクセスすることもできる。
【００６０】
グループ化装置１２２は，例えば，複数の放送局１０２がグループ局を構成する場合，当該各放送局１０２で送出された番組情報等を１つにまとめて，グループ化する機能を有する。したがって，各放送局１０２の番組情報複数がグループ化されることで，１つのデータから構成されることになる。なお，グループ化しない場合であっても一旦は上記グループ化装置１２２で管理されてもよい。
【００６１】
なお，グループ化装置１２２は，放送局１０２の放送設備装置１２６で管理する指示情報に予めグループ化する旨の設定がされていた場合，指定された放送局１０２のグループに属する放送局１０２のグループ情報，番組情報等を１つのグループからなる放送局にまとめる。
【００６２】
また，グループ化装置１２２には，放送設備装置１２６が備える装置とほぼ同様の装置が備わり，放送局１０２または受託放送事業者等から送信されるグループ情報や，番組情報などを記憶管理し，上記番組情報等を適宜アンテナ１２３から放送波を介して送出，またはネットワーク１０３を介して送信する。
【００６３】
なお，本実施の形態にかかるＥＣＧサービス会社１０５の編成／送出装置１３７は，放送局１０２（１０２ａ，１０２ｂ，１０２ｃ，１０２ｄ，…，１０２ｎ）に，それぞれ備わる場合でもよく，放送局１０２（１０２ａ，１０２ｂ，１０２ｃ，１０２ｄ，…，１０２ｎ）が１つの編成／送出装置１３７を共有する場合等でもよい。
【００６４】
本実施の形態にかかるグループ化装置１２２のグループ化処理は，複数の放送局１０２からなるグループを例に挙げて説明したが，かかる例に限定されず，例えば，１又は２以上の放送局１０２と１又は２以上の受託放送事業者１２１がグループ局として構成する場合などでも実施できる。
【００６５】
ネットワーク１０３を介して電子メールを送受信するメールサーバ１２５と，制御端末１１８からの指示で番組の録画予約するための情報等を生成するトランザクションサーバ１２７とが，さらにグループ番組表提供システム１００に備わる。
【００６６】
ネットワーク１０３（１０３ａ，１０３ｂ）は，グループ化装置１２２と，電子メールを送受信するメールサーバ１２５と，トランザクションサーバ１２７と，利用者端末１０１（１０１ａ，１０１ｂ，…，１０１ｎ）とを相互に双方向通信可能に接続するものであり，典型的にはＡＤＳＬ（Ａｓｙｍｍｅｔｒｉｃ  Ｄｉｇｉｔａｌ  Ｓｕｂｓｃｒｉｂｅｒ  Ｌｉｎｅ）またはＦＴＴＨ（Ｆｉｂｅｒ  Ｔｏ  Ｔｈｅ  Ｈｏｍｅ）などそれに類する方法で接続するインターネットなどの公衆回線網であるが，ＷＡＮ，ＬＡＮ，ＩＰ−ＶＰＮなどの閉鎖回線網も含む。また接続媒体は，ＦＤＤＩ（Ｆｉｂｅｒ  Ｄｉｓｔｒｉｂｕｔｅｄ  Ｄａｔａ  Ｉｎｔｅｒｆａｃｅ）などによる光ファイバケーブル，Ｅｔｈｅｒｎｅｔ（登録商標）による同軸ケーブル又はツイストペアケーブル，もしくはＩＥＥＥ８０２．１１ｂなどによる無線など，有線無線を問わず，衛星通信網なども含む。
【００６７】
アンテナ１２３（１２３ａ，１２３ｂ）は，放送波を送出又は受信するための装置であり，グループ化装置１２２等から送出された番組の映像信号や，番組情報などは，上記アンテナ１２３ａを介して送出され，アンテナ１２３ｂによって受信される。受信された映像信号，番組情報等は，利用者端末１０１の画面に表示される。
【００６８】
トランザクションサーバ１２７は，利用者側に属す利用者端末１０１と提供側に属す放送局１０２等との双方向サービスを行うため利用者側からの多種な情報を送信先の装置に適切に送信する。例えば，利用者端末１０１から番組の録画予約情報が送信されると，メールサーバ１２５に送信する。なお，メールサーバ１２５以外にも放送局１０２等から録画予約情報を利用者端末１０１に送信することで，録画予約処理を実行させる場合であってもよい。
【００６９】
また，トランザクションサーバ１２７は，番組の録画予約処理以外にも，番組の再放送を要求するための情報等を利用者端末１０１から受信すると，放送局１０２に備わる放送設備装置１２６に送信する。
【００７０】
ここで，送信元の利用者端末１０１から送信された電子メールは，メールサーバ１２５に一度送信され，管理保有される。なお，上記利用者端末１０１は，ＳＭＴＰ（Ｓｉｍｐｌｅ  Ｍａｉｌ  Ｔｒａｎｓｆｅｒ  Ｐｒｏｔｏｃｏｌ）に従い，上記電子メールをメールサーバに送信するが，かかる例に限定されない。
【００７１】
メールサーバ１２５は，例えば，電子メールに含まれる送信先の宛先（メールアドレス）ごとに割当てられたメールボックスに，送信されてくる電子メールを格納する。なお，メールアドレスに該当するメールボックスが存在しない場合，メールサーバ１２５は，他のメールサーバに，例えばＳＭＴＰ等のプロトコルに従い，電子メールを転送してもよい。
【００７２】
メールサーバ１２５は，利用者端末１０１によって所定時間ごとに，ＰＯＰ３（Ｐｏｓｔ  Ｏｆｆｉｃｅ  Ｐｒｏｔｏｃｏｌ  Ｖｅｒｓｉｏｎ３）などのプロトコルに従い，自己のメールアドレスに該当するメールボックスに格納された電子メールを送信するよう要求される。
【００７３】
なお，メールサーバ１２５は，例えば録画予約された番組の放送時間の所定時間前まで，録画予約を通知するための電子メールを保有する必要があるため，メールボックスに存在する電子メールを所定時間になるまで，利用者端末１０１から要求されても送信拒否するか，またはメールボックスに保存された電子メール一旦削除又は別の記憶領域に退避し，所定時間前に再び録画予約を通知するための電子メールを生成等の処理を行う。
【００７４】
利用者端末１０１が録画予約を告知するための電子メールを受信すると，利用者は，上記電子メールをトリガーとして，入力部２３７等を用いて，録画端末１１７に対して番組の録画予約してもよい。
【００７５】
次に，本実施の形態にかかるグループ番組表提供システム１００について説明すると，グループ番組表提供システムでは，放送設備装置１２６や送出装置１３３等が利用者端末１０１に，例えば，ＥＰＧ（電子番組表）形式などのグループ番組表を提供する。なお，かかる例に限定されず，例えば，ＥＰＧ形式の番組表や，ＥＣＧ形式の番組表なども提供することは可能である。
【００７６】
さらに，ＥＣＧサービスにおいては，ＥＣＧサービス会社１０５に備わる編成／送出装置１３７が，ＥＣＧサービスの機能として，番組表だけでなく，さらに上記番組表を介して利用者に，番組に関連する詳細情報や，電子ブックなどの書籍，または映画などのコンテンツを提供する。
【００７７】
なお，本実施の形態にかかる放送設備装置１２６，送出装置１３３，または編成／送出装置１３７は，番組表に含まれる番組情報を提供する場合を例に挙げて説明したが，かかる例に限定されず，例えば，番組表の代わりに，書籍リストや，ラジオ番組表などの場合であっても実施可能であるが，以下，利用者端末１０１に表示されるのはＥＰＧ形式等のグループ番組表である場合を例に挙げて，本実施の形態にかかるグループ番組表提供システム１００について説明する。
【００７８】
利用者端末１０１は，放送局１０２又はグループ局単位でＥＰＧ情報，グループ情報等を受信し，当該情報に基づきグループ番組表を表示する。なおＥＣＧサービスの場合，番組メタ情報等に基づき表示される番組表のうち適当な番組が選択されると，番組に関連するコンテンツを検索し，番組の詳細情報等のコンテンツを取得することができる。
【００７９】
また，グループ番組表等の番組には，１又は２以上のコンテンツが存在する。ここで，番組表のうち，コンテンツは番組情報などを含む“番組”に該当し，上記番組が複数集まることで，番組表を構成する。
【００８０】
また，本実施の形態にかかるグループ番組表提供システム１００は，さらにアカウントアグリゲーションサーバ（図示せず。）を備える場合でもよい。アカウントアグリゲーションサーバは，視聴者（ユーザ）がグループ番組表提供システム１００を利用する際に行われる認証，またはグループ番組表提供システム１００を利用するユーザがコンテンツ等を購入する際に行われる課金・決済を，放送局１０２，受託放送事業者，または番組等に依存することなく一元的に行うための機能を備える。
【００８１】
つまり，アカウントアグリゲーションサーバを備えることにより，ユーザの認証情報を一元化し，統合認証（シングルサインオン）することが可能となり，同様に，課金・決済情報もユーザ単位に一元化することが可能となる。なお，上記一元化は，複数のユーザＩＤを統合した統合ユーザＩＤに基づき，行われる。
【００８２】
課金・決済などの全てのサービスをひとまとめとし，ひとつの統合ユーザＩＤに基づき，サービス全てに対してアクセスするための認証の代行を行う機能を持つ。例えば専用のサーバにより実現される。
【００８３】
なお，アクセスとは，例えば，システムの利用，サーバへの接続，ファイルの参照，ファイルの保存，ファイルの削除，またはファイルの変更など，ネットワークを介して情報を処理する情報処理を総称していう。
【００８４】
また，映像，音楽，ゲームソフト等の著作物の権利保持者であるコンテンツホルダのマーケティング活動上顧客情報の開示を必要とする場合，上記ユーザ情報を有効に活用することができる。上記の場合，利用者端末１０１を認証するため，例えば，電子証明書等にユーザ名，ユーザＩＤ等が含まれる形式で，アカウントアグリゲーションサーバに通知される。
【００８５】
上記コンテンツメタ情報は，編成／送出装置１３７により記憶／保有される。また，コンテンツホルダや広告代理店等のコンテンツ提供会社１０４に備わる制作装置１３５によって，上記コンテンツメタ情報が作成される。
【００８６】
編成／送出装置１３７は，コンテンツメタ情報または番組メタ情報等をネットワーク１０３を介して送信する際に，ＢＭＬ（Ｂｒｏａｄｃａｓｔ  Ｍａｒｋｕｐ  Ｌａｎｇｕａｇｅ），ＨＴＭＬ（Ｈｙｐｅｒ  Ｔｅｘｔ  Ｍａｒｋｕｐ  Ｌａｎｇｕａｇｅ），またはＣ−ＨＴＭＬ（Ｃｏｎｔｐａｃｔ−Ｈｙｐｅｒ  Ｔｅｘｔ  Ｍａｒｋｕｐ  Ｌａｎｇｕａｇｅ）などに変換し，送信してもよい。
【００８７】
（グループ情報の配信について）
次に，図２を参照しながら，本実施の形態にかかるグループ情報の配信処理の概略について説明する。図２は，本実施の形態にかかるグループ情報をネットワーク１０３を介して配信する概略を示す説明図である。
【００８８】
図２に示すように，サービス提供側で番組を編成等することで生成される番組情報とグループ情報はグループ化装置１２２等に記憶管理される。作成された番組情報とグループ情報について利用者端末１０１は，さらにサービス利用可能であるユーザ毎に上記番組情報とグループ情報に係るステータス情報（番組ステータス情報，グループステータス情報）を作成し，各ユーザに割当てられた記憶領域に上記ステータス情報を記憶する。またユーザごとに予め環境設定情報も登録される。なお，ステータス（処理状況）情報は後述するが，主に番組の録画状況や，放送経過などのステータスを管理するために使われる情報である。また，上記環境設定情報は，後程述べるが，利用者端末１０１側に記憶される場合であってもよい。
【００８９】
なお，グループ情報は，１又は２以上の番組情報をグループ化した際に作成されるメタ情報である。番組情報が存在しない場合，グループ情報も作成されない。例えば，放送番組に１回〜１１回からなるシリーズ物のドラマ番組が存在した場合，各回の番組情報（１回〜１１回）が作成され，さらに上記１１回分のドラマ番組でグループ化された１つのグループ情報が作成される。また，図２に示すグループ情報は１つであるが，かかる例に限定されず，複数の場合でも実施でき，さらに複数のグループ情報が階層構造をなす場合でもよい。
【００９０】
本実施の形態にかかるグループステータス情報および番組ステータス情報は，グループ情報および番組情報とは別に生成される場合を例に挙げて説明するが，係る例に限定されず，例えば，ステータス情報がグループ情報または番組情報に含まれるように一体的に生成されても良い。
【００９１】
次に，グループ化装置１２２または放送設備装置１２６等は，予め登録された環境設定情報に基づき，各ユーザが使用する利用者端末１０１の表示画面に表示するための画面データを生成する。
【００９２】
例えば，環境設定情報にグループ番組表が表示されるように設定されていた場合，グループ化装置１２２等は，グループ番組表の画面データをグループ情報，グループステータス情報，番組情報，番組ステータス情報等に基づき作成する。
【００９３】
利用者端末１０１は，グループ化装置１２２にネットワーク１０３を介して，上記グループ番組表等を要求すると，グループ化装置１２２は，上記グループ番組表を，例えばＨＴＴＰ等のプロトコルによりパケット化し，ネットワーク１０３を介して送信する。
【００９４】
なお，上記グループ番組表の他にもＥＰＧ形式の番組表や，ＥＣＧ形式の番組表などの画面データも各ユーザごとに環境設定情報の設定内容に基づき作成される。
【００９５】
利用者端末１０１は，上記画面データをネットワーク１０３を介して受信すると，利用者端末１０１の記憶部２３６等にインストールにより記憶された閲覧ソフトウェア（例えば，Ｗｅｂブラウザ）等のアプリケーションを起動することで，画面上に表示される。なお，本実施の形態にかかるＷｅｂブラウザは，インストールする場合に限らず，アプレットなど，ハードディスクに記憶せず，アプリケーションを適宜ダウンロードすることで画面表示処理などを実行する場合等でもよい。
【００９６】
さらに，図３を参照しながら，本実施の形態にかかるグループ情報の配信処理の概略について説明する。図３は，本実施の形態にかかるグループ情報等を放送波を介して配信する概略を示す説明図である。
【００９７】
図３に示すように，サービス提供側で番組を編成すると，番組情報や，グループ情報が作成され，放送設備装置１２６またはグループ化装置１２２等に記憶管理される。グループ化装置１２２等は，所定時間毎に，利用者端末１０２に対して放送波を介してグループ情報，番組情報等を配信する。
【００９８】
ここで，本実施の形態にかかる放送設備装置１２６等から放送波を介してグループ情報等を配信する際について説明すると，グループ情報もＳＩ情報や，ＰＳＩ情報とともに所定周期ごとに送出される。
【００９９】
例えば，ＳＩ情報としてＢＩＴ（Ｂｒｏａｄｃａｓｔｅｒ  Ｉｎｆｏｒｍａｔｉｏｎ  Ｔａｂｌｅ），ＳＤＴ（Ｓｅｒｖｉｃｅ  Ｄｅｓｃｒｉｐｔｉｏｎ  Ｔａｂｌｅ）等のテーブルが放送波を介して送出されるのと同様に，グループ情報も例えばＧＩＴ（Ｇｒｏｕｐ  Ｉｎｆｏｒｍａｔｉｏｎ  Ｔａｂｌｅ）等のテーブルを新たに定義し，放送波を介して上記ＧＩＴを送出する場合等でもよい。
【０１００】
次に，利用者端末１０１が上記グループ情報及び番組情報を受信すると，グループ情報と番組情報に対するステータス情報を生成する。上記番組ステータス情報，グループステータス情報が生成されると，利用者端末１０１の記憶部２３６に記憶される。
【０１０１】
ユーザからグループ番組表等の番組表を表示する指示を利用者端末１０１が受付けると，利用者端末１０１は，登録された環境設定情報を参照し，当該番組表が表示可能であるか否かを確認したうえで，受信した番組情報，グループ情報，または各ステータス情報からグループ番組表を作成し，画面上に表示する。なお，上記画面表示等の処理は，Ｗｅｂブラウザ等のソフトウェアと利用者端末１０１の制御部２４０や，記憶部２３６などのハードウェア資源とが協働して実行される。
【０１０２】
（放送設備装置１２６の説明）
次に，図４を参照しながら，本実施の形態にかかるグループ番組表提供システム１００を構成する放送局１０２に備わる放送設備装置１２６および利用者端末１０１について説明する。図４は，本実施の形態にかかる放送局１０２および利用者端末１０１の概略的な構成を示すブロック図である。
【０１０３】
図４に示すように，本実施の形態にかかる放送局１０２には，放送設備装置１２６が備わるのは上記説明の通りだが，さらに放送設備装置１２６には，映像ストリーム生成／送出装置２０１，データ放送生成／送出装置２０２，グループ情報生成／送出装置２０３，番組情報生成／送出装置２０４，グループ管理装置２０５，放送／通信送出装置２０６，および受信装置２０７が備わる。なお，サービス利用するユーザのプロフィール情報等を管理するユーザ管理装置（図示せず。）がさらに放送設備装置１２６に備わってもよい。
【０１０４】
映像ストリーム生成／送出装置２０１は，少なくとも中央演算処理部（ＣＰＵ等），入力部，表示部などを備え，映像ストリーム生成・送出装置２０１は，番組を放送するための映像ストリームを生成し，放送／通信送出装置２０６へ送信する。なお，映像ストリームは，動画像と音声データとから構成されている。
【０１０５】
データ放送生成／送出装置２０２は，少なくとも中央演算処理部，入力部，表示部などを備えており，データ放送生成／送出装置２０２は，データ放送するための付加データなどを生成し，放送／通信送出装置２０６に送出する。
【０１０６】
上記付加データは，ニュース，天気予報，交通情報，スポーツの結果などを放送するデータ放送用のデータである。付加データは，例えばＢＭＬ形式等で構成されている。上記映像ストリームとともに利用者端末１０１に送出されることで，番組を視聴しながら各地の天気予報を確認することができる。
【０１０７】
グループ情報生成／送出装置２０３は，少なくとも中央演算処理部，入力部，表示部などを備えるコンピュータ装置等である。グループ情報生成／送出装置２０３は，１又は２以上の番組をグループ化することによって上記番組を統括するための統括情報である。なお，グループ情報生成／送出装置２０３に接続された制作端末（図示せず。）からの指示情報によりグループ情報を作成する場合などでもよい。制作端末は，制作者により入力部が操作されることで指示を受付けると，指示情報を生成する。
【０１０８】
また，グループ情報生成／送出装置２０３は上記グループ情報を生成すると，放送／通信送出装置２０６に送信する。なお，上記グループ情報は，ネットワーク１０３を介して送信する場合も，利用者端末１０３は，放送設備装置１２６にアクセスし，ユーザＩＤ等の識別情報を含むグループ情報要求情報を送信すると，受信装置２０７を介して，放送／通信送出装置２０６に送信される。
【０１０９】
放送／通信送出装置２０６は，グループ情報要求元のユーザＩＤに該当するグループ情報を利用者端末１０１に送信することができる。当該利用者端末１０１は，上記グループ情報を受信することで，グループ番組表を作成することになる。
【０１１０】
なお，上記放送／通信送出装置２０６は，グループ情報，番組情報，またはコンテンツ情報をグループ化装置１２２に送出する際に，放送波を介する放送波配信用と，ネットワーク１０３を介して送信するネットワーク配信用と，２種類の情報を生成し，送信可能なように，上記種類ごとに別体として装置が構成されてもよい。
【０１１１】
番組情報生成／送出装置２０４は，少なくとも中央演算処理部，入力部，表示部などを備えるコンピュータ装置等であり，番組情報生成／送出装置２０４は，１又は２以上のＥＰＧ情報を生成する。
【０１１２】
なお，番組情報生成／送出装置２０４は，複数のＥＰＧ情報等を記憶するＥＰＧ情報データベース（ＥＰＧ情報ＤＢ）などを備えてもよい。放送局１０２内に備わる編成端末等（図示せず。）からの指示で，ＥＰＧ情報ＤＢに記憶されたＥＰＧ情報等を呼び出し，送出することができる。
【０１１３】
上記ＥＰＧ情報は，番組のタイトルや，編成，スポンサーなどの多種の情報が含まれる。ＥＰＧ情報は，例えば，番組の編成処理の段階で，作成される。なお，番組メタ情報等も，上記ＥＰＧ情報に準拠した情報である。
【０１１４】
ＥＰＧ情報または番組メタ情報は，番組情報生成／送出装置２０４に接続された番組情報制作端末（図示せず。）からの指示によって，生成される。番組情報制作端末は，放送局１０２内に備わる場合でも，委託放送事業者１１９などに備わる場合でもよい。
【０１１５】
グループ管理装置２０５は，少なくとも中央演算処理部，入力部，表示部などを備えるコンピュータ装置であり，グループ管理装置２０５は，利用者端末１０１を操作する視聴者（ユーザ）が番組を視聴した履歴（視聴履歴）情報または視聴者の嗜好情報などを管理するとともに，視聴または録画等した番組のグループ情報をユーザ単位に管理している。また，利用者端末１０１からコンテンツの購入希望があった場合，アカウントアグリゲーションサーバ（図示せず。）に決済要求等をする。
【０１１６】
放送／通信送出装置２０６は，グループ情報，ＥＰＧ情報，番組の映像ストリームや，データ放送用の付加データ，ＥＰＧ情報等のデータをネットワーク１０３を介して送出し，またはアンテナ１２３ａを介して送出する。なお，付加データ，ＥＰＧ情報を送出する際，ＢＭＬ，ＨＴＭＬ，またはＣ−ＨＴＭＬに変換してから送出しても良い。また，送出する場合には，例えば，上記映像ストリーム，付加データ，ＥＰＧ情報が，ＴＳ（Ｔｒａｎｓｐｏｒｔ  Ｓｔｒｅａｍ）形式等に符号化され送出されても良い。
【０１１７】
（利用者端末１０１の構成要素の説明）
次に，図２に示すように，本実施の形態に係る利用者端末１０１の構成要素について説明すると，利用者端末１０１には，放送・通信受信部（取得部）２３０，再生ブロック２３２，データ処理ブロック２３４，表示部２３５，記憶部２３６，入力部２３７，送信部２３８，および制御部２４０から構成される。
【０１１８】
なお，本実施の形態にかかる入力部２３７又は制御端末１１８に備わる入力ボタン等の入力部（図示せず。）は，例えば，グループ番組表の希望する日付等の指定を受付ける指定受付部等に該当する。
【０１１９】
上記再生ブロック２３２には，放送局１０２から送出されてくる映像ストリームを放送・通信受信部２３０から受信し，再生する映像ストリーム再生部２４１と，付加データ等を受信し，再生するデータ放送再生部２４３とから構成される。なお，本実施の形態にかかる制御部２４０は，例えば，グループ番組表を画面に表示させるのを制御する表示制御部等に該当する。
【０１２０】
上記データ処理ブロック２３４には，ＥＰＧ情報等の番組情報から適当な番組表に加工し，例えばＥＰＧ形式等の番組表などを表示するＥＰＧ閲覧・操作部２４８と，グループ情報及びＥＰＧ情報等からグループ番組表を作成するグループ閲覧・操作部２５０（生成部）と，利用者のプロファイル情報，操作履歴などを管理するユーザプロファイル・操作履歴編集部２５４と，嗜好分析エンジン２５６と，周辺機器制御（録画予約指示部）２５８とから少なくとも構成されている。なお，本実施の形態にかかるＥＰＧ閲覧・操作部２４８，グループ閲覧・操作部２５０は，ハードウェアから構成される場合を例に挙げて説明するが，かかる例に限定されず，例えば，記憶部２３６にインストールされた複数のモジュールからなるソフトウェアの場合でもよい。
【０１２１】
表示部２３５は，制御部２４０の指示で映像ストリーム再生部２４１，データ放送再生部２４３，または番組情報再生部２４６が表示可能なように処理し，再生するデータを表示画面に表示する。なお，表示部２３５は，例えば，ＴＶ装置又は液晶ディスプレイ装置などが例示され，静止画像のほか，音声又は動画像などを出力することも可能である。
【０１２２】
記憶部２３６は，例えば，ＥＰＧ情報に係るデータベース（ＥＰＧデータＤＢ），グループ情報に係るデータベース（グループデータＤＢ），ユーザプロファイル情報や，ユーザ操作履歴ファイル等の様々な情報を記憶管理可能である。なお記憶管理とは，例えば，所望の情報を呼び出し，取り出したり，新しい情報を適当な位置に格納したり，不要な情報を削除するなど，情報の管理全体を総称するものである。
【０１２３】
入力部２３７は，利用者から操作指示を受けることが可能なマウス，トラックボール，トラックパッド，スタイラスペン，またはジョイスティックなどのポインティングデバイスや，キーボードなどからなるが，かかる例に限定されない。なお，制御端末１１８は利用者端末１０１に接続されていないため入力部２３７には含まれないが，機能的にはほぼ入力部２３７と同様である。
【０１２４】
送信部２３８は，指定されたデータをネットワーク１０３ｂを介して放送局１０２に送信する。
【０１２５】
利用者端末１０１に備わる周辺機器制御部２５８は，リモコン装置１１８ａ，携帯電話１１８ｂなどの制御端末１１８からの指示，または入力部２３７からの指示があると，例えば，ＶＴＲ１１７ａに対し録画予約するよう命令する。所定時刻になるとＶＴＲ１１７ａは，目的の番組を録画する。なお，利用者端末１０１には，制御端末１１８からの指示を，無線又は赤外線等によって受付ける制御端末受信部（図示せず。）が予め備わっている。
【０１２６】
（グループ番組表）
今までのＥＰＧにはない、グループ情報を一覧するための画面である。上部にサービス提供者から配信されるグループ情報を表示する。下部にユーザが定義したグループ情報を表示する。
【０１２７】
サービス提供者から提供されるグループ情報から、ジャンル・タイトル・ステータス（保存の経過状況・録画状況など）項目・詳細情報画面に遷移するためのボタンを表示する。なお，ステータスで表示する内容は、表示モード設定でカスタマイズできる。
【０１２８】
ジャンルには、複数の番組を代表するグループのジャンルとして、映画・ドキュメンタリー・ニュース・バラエティなどが表示される。グループによっては、複数のジャンルが設定されている場合もある。
【０１２９】
タイトルには、グループのタイトルとして、放送局名・タイトル・放送曜日（毎週水曜日など）と放映時間などが表示される。
【０１３０】
ステータスには、グループのステータスとして、グループ内の番組の保存の経過状況や録画予約をしている否かなどの設定が，環境設定情報等に設定される表示モードに合わせて表示される。
【０１３１】
例えば，３０話完結ドラマなどの各回の番組をグループ番組に属させることで，番組全体の放送状況（例えば１０話まで放送済み等）や，録画状況（例えば未録画の番組が有る等）を画面に表示させることができる。かかる表示により，ユーザは，番組全体の状況を把握させるとともに，各番組のステータスまでも大方予測をさせることができる。
【０１３２】
（ＥＰＧサービスによるグループ番組表）
ここで，図５等を参照しながら，利用者端末１０１の表示画面に表示されるＥＰＧサービスによるグループ番組表について説明する。図５は，本実施の形態にかかる利用者端末１０１の表示画面に表示されたグループ番組表の概略を説明するための説明図である。
【０１３３】
まず，図５に示すように，グループ番組表には，１又は２以上の番組からなるグループ番組の見出しとして，「ジャンル」と，「タイトル」が表示される。上記ジャンルは，例えば映画，ドラマ，スポーツ等を例示することができる。なお，グループ番組は，実際に放送される番組ではないが，個々の放送番組をグループ化し，一つに統括した仮想的な番組である。
【０１３４】
上記複数のグループ番組が，図５に示すように，利用者端末１０１に備わる表示部２３５の画面上にリスト表示される。さらに，上記ジャンル，タイトルの他に，「放送経過」，「録画予約」，および「詳細」等のステータス項目が表示される。
【０１３５】
上記「放送経過」，「録画予約」，および「詳細」等の項目は，当該グループ番組に係るグループステータス情報から取得した情報が源泉となる。上記「放送経過」は，グループ番組に構成する１又は２以上の番組全体のうち，実際に放送された番組の総計等のステータスを示すものである。
【０１３６】
なお，画面の上段に表示されたジャンルが映画で，タイトルが女はつらいよのグループ番組の「放送経過」は，インジゲータにより表示される。ここで，インジゲータのうち白色の領域が放送済（放送完了）の部分を示し，グレーの網掛け状の領域が未放送である部分を示している。上記グレーの網掛け領域が右端まで一杯になると全て放送済であることを示している。また，上記インジゲータのうち，例えば図５に示すように，タイトルが「女はつらいよ」のインジゲータは，左端部がグレーの網掛け領域であり放送済になっていない。これは，例えば，既に放送された分の番組が，後日再放送番組が決定し，放送経過のステータスが更新したためである。
【０１３７】
上記「録画予約」は，グループ番組に構成する１又は２以上の番組全体のうち，実際に利用者によって，または利用者端末が自動的に放送予定の番組の録画予約をした番組の総計等のステータスを示すものである。
【０１３８】
上記「詳細」は，グループ番組に関する詳細情報が表示画面に表示可能であるか否かを示すステータス項目である。なお，上記グループ番組に関する詳細情報は，つまりグループ番組に構成する１又は２以上の番組に関する番組情報等のことである。
【０１３９】
一般的には，ＥＰＧ形式などの番組表で各放送局で放送する番組を確認することができるが，確認対象は各番組単位であり，ジャンルや，指定時間単位でグルーピングされた複数の番組を一度に表示することができなかった。
【０１４０】
したがって，グループ情報を生成し，当該グループ情報に係るグループステータス情報を有することで，個々の番組情報では管理されない複数の番組のトータル情報を容易に提示することができる。
【０１４１】
グループ番組は，グループ情報に基づいて作成される。したがって，当該グループ情報を利用者端末１０１に配信する際に，番組情報をグルーピングし，グループ情報を生成することで，１又は２以上の番組を統括して，グループ全体の番組情報を管理することができる。なお，利用者は既にグループ情報が作成されているため，改めて，グループ情報を作成しない場合でも，グループ番組表から，グループ全体の番組情報を把握し，管理できる。
【０１４２】
（マイグループ番組表）
次に，図６を参照しながら，本実施の形態にかかるマイグループ番組表について説明する。図６は，本実施の形態にかかるマイグループ番組表の概略的な構成を示す説明図である。
【０１４３】
図６に示すように，マイグループ番組表は，各利用者がグループ番組表をカスタマイズし，使用する個人用のグループ番組表である。したがって，画面上に表示されるのは，各利用者により入力部２３７を介して指示を受付けた結果，グループ番組を取得したものを画面上に表示している。
【０１４４】
利用者により選択されたグループ番組の一覧が画面に表示されることで，利用者側にとっては，目的とするグループ番組の録画状況，放送経過等の進捗状況を容易に把握することができ，番組録画機会の喪失，再放送番組の視聴機会の喪失等を回避する可能性が通常のグループ番組表よりも高まる。なお，本実施の形態にかかるマイグループ番組表は，予め提供側で配信されるグループ番組をマイグループ番組表に登録する場合の他に，新しく利用者側で番組情報等を選択することでグルーピングし，グループ番組を設定することも実施可能である。利用者個人が設定したグループによって，複数の番組を管理することもできる。
【０１４５】
図６に示すマイグループ番組表には，「登録一覧」，「新グループ一覧」が表示されているが，上記「登録一覧」は，予め提供側で配信するグループ番組から登録されたグループ番組の一覧を示している。また，「新グループ一覧」は，利用者側でグループ情報を作成することで，生成されたグループ番組の一覧を示している。
【０１４６】
なお，マイグループ番組表に表示された「ジャンル」，「タイトル」，「放送経過」，「録画予約」，または「詳細」等の項目は，グループ番組表において説明したものとほぼ同様な構成であるため詳細な説明は省略する。
【０１４７】
（グループ番組の詳細表示）
次に，図７を参照しながら，本実施の形態にかかるグループ番組の詳細表示について説明する。図７は，本実施の形態にかかるグループ番組の詳細表示の概略的な構成を示す説明図である。
【０１４８】
図７に示すように，グループ番組の詳細表示は，上記説明のグループ番組表に表示された項目「詳細」に対するグループ番組の詳細情報が表示された画面である。上記詳細表示には，利用者により選択されたグループ番組のグループに属する各番組のステータス状況等が表示される。
【０１４９】
具体的には，図５又は図６等に表示された「詳細」項目の“詳細表示”ボタンが，利用者から入力部２３７の操作によって，選択されたのを利用者端末１０１が受付けると，表示部２３５に当該選択されたグループ番組に係る詳細が画面上に表示される。
【０１５０】
上記画面に表示された詳細表示は，局名が表示される「放送局」，グループ番組のタイトルである「タイトル」，グループ内に含まれる個々の番組がリストで表示される「グループ」，「録画状況」，放送番組の視聴の有無など視聴状況を示す「視聴状況」，放送番組が再放送されるか否かを示し，再放送される場合録画の予約の有無も示す「再放送」，さらに番組に関連する書籍，ＤＶＤ等のコンテンツの有無を示す「パッケージ」等のステータス項目が表示される。なお，上記各番組のステータス項目は，各番組情報に係る番組ステータス情報等に基づき情報取得される。
【０１５１】
上記「再放送」には，放送番組の再放送がされるか否かを示す再放送の有無のほかに，再放送が決定した場合に当該再放送番組の録画予約の有無のステータスも示す。また，かかる例に限定されず，例えば，「再放送」のステータスとして，例えば，“可能性大”など，再放送の可能性を指標する表示がされてもよい。かかる再放送の可能性は，番組の再放送を要望する要望情報が利用者端末１０１から放送局１０２にネットワーク１０３を介して送信したトータルの送信回数等に応じて表示される。
【０１５２】
また，上記「パッケージ」には，グループ内に属する各番組に関連するコンテンツを指標するアイコン等が表示される。図７に示すように，例えば，「グループ」“第１話  １０／１  ２０：００−２２：００”の番組の場合，「パッケージ」には，“ＤＶＤ  ２９８０円”とアイコン又はボタンが表示されている。
【０１５３】
上記ボタンを選択（クリック等）することで，“ＤＶＤ  ２９８０円”に関する詳細情報画面及び購入画面が表示され，直接ネットワーク１０３を介して，コンテンツ実体であるＤＶＤ等を購入することができる。なお，上記コンテンツに関する詳細情報または購入画面等は，番組情報に紐付けられたコンテンツメタ情報をアクセスすることで画面に表示され，上記コンテンツメタ情報をアクセスするのはＥＣＧサービスによってサービス提供している。
【０１５４】
さらに，上記グループ内に含まれる各番組の「タイトル」には，放送日時が表示されている。上記放送日時が，例えば生中継番組の延長によって突如変更した場合等でも，提供側又は利用者側で上記放送日時を，延長等による変更と同期して自動的に更新する場合等でも実施できる。
【０１５５】
グループ番組の詳細表示が画面に表示されることで，グループ内に含まれる番組の一連の放送予定を容易に把握することができる。かかるグループ内の番組は，相互に関連性を強く有しており，ユーザが連続して番組視聴または番組録画する蓋然性が高い。したがって，今後放送される一連の番組の放送予定を表示することで，利用者端末１０１による番組検索処理または番組録画予約を迅速・的確に，さらに効率的に実行することができる。
【０１５６】
なお，図７のグループ番組の詳細表示に示すように，例えば，「タイトル」が“第３話…”の放送後，“第４話…”の放送で、このグループ情報を選択等し，“第４話…”，“第５話…”，“第６話…”，及び“第７話…”の番組を録画しているのが分かる。
【０１５７】
上記“第４話…”，“第５話…”については，番組の録画および番組の視聴も完了していることを「録画状況」，「視聴状況」等のステータス項目が示している“第６話…”，及び“第７話…”の番組の録画は完了しているが、視聴はまだである。
【０１５８】
また，“第８話…”以降の番組はまだ放送されていないため、録画されておらず，再放送の予定も“未定”のままのステータスである。
【０１５９】
“第１…”，“２話…”は，放送局１０２等によって，番組編成によって再放送が確定し，後日再放送される番組の録画予約が完了しているステータスを示す「予約済み」が画面上に表示される。“第３話…”は，放送局１０２等で再放送予定が確定していないステータスを示す「予約待ち」が画面上に表示される。
【０１６０】
（環境設定情報）
次に，本実施の形態にかかる環境設定情報について説明すると，環境設定情報は，予め利用者によって指示し，上記指示を受付けた利用者端末１０１が上記環境設定情報を生成する。
【０１６１】
生成された環境設定情報は，利用者端末１０１の記憶部２３６ｂまたは放送局１０２側で記憶される。環境設定情報は，主に利用者端末１０１の画面に適当な情報を表示するための設定情報である。
【０１６２】
利用者端末１０１側のＷｅｂブラウザが上記環境設定情報に従って，グループ番組表などを表示，加工する。設定情報としては，例えば環境設定情報に番組の再放送をリクエストする再放送要求処理を実行するか否か（再放送要求する／しない）を設定することができる。
【０１６３】
また，番組のステータス項目ごとに，環境設定情報に画面に表示するか否かを設定することができる。例えば，上記項目は，「放送経過」，「再放送経過」，「録画状況」，「視聴経過」などを例示することができる。なお，初期設定では，全て表示する設定となっている。
【０１６４】
また，上記番組のステータス項目と同様に，グループのステータス項目についても環境設定情報に設定することができる。例えば，上記項目は，グループ内に含まれる番組全体の「放送経過」，「再放送経過」，「録画状況」，または「視聴経過」などを例示することができる。なお，初期設定では，全て表示する設定となっている。
【０１６５】
上記グループのステータス項目を表示することで，利用者は個々の番組をチェックしなくともグループ全体の状況を容易に把握することができ，結果として利用者端末１０１の迅速な番組録画予約処理などに資する。
【０１６６】
また，上記環境設定情報に従ってステータス項目に表示されるグループステータス情報のステータスは，例えば，ステータス項目が「放送経過」等の場合，グループに属する全番組のうち，放送された番組の内訳を表示するため，“全体の１０％達成”，“全体の８０％達成”など何段階かレベル毎に分けられている。その他にも，グループ内の番組数などから求められる閾値に応じて，例えば“約半分放送完了”，“ほぼ放送完了”など，何段階かレベル毎に分類されても良い。
【０１６７】
番組ステータス情報も，上記グループステータス情報のステータスと同様に，例えば，ステータス項目「録画予約」の場合，“録画予約待ち”，“録画予約中”，“録画予約済み”と３段階のステータスに分けられている。また，例えばステータス項目「再放送」の場合，“再放送待ち”，“再放送中”，“再放送終了”等と３段階のステータスに分けられる。さらに，例えば，ステータス項目が「視聴状況」の場合，ステータスは，“視聴待ち”，“視聴中”，“視聴済み”と３段階に分けられる。なお，ステータスは，係る例に限定されない。
【０１６８】
（提供者側の管理画面）
次に，図８を参照しながら，本実施の形態にかかるサービス提供側の管理画面について説明する。図８は，本実施の形態にかかるサービス提供側の管理画面の概略的な構成を示す説明図である。
【０１６９】
サービス提供側の管理画面は，例えば，放送局１０１に備わる番組を編成する等に使用される制作端末等の表示部の画面上に表示される。図８に示すように，管理画面は，グループ情報のタイトルが表示される「タイトル」と，グループ内に含まれる番組のリストが表示される「グループ」と，番組の再放送のリクエストが行われた総数が表示される「再放送要求」と，「再放送日時」と，「パッケージ」とが表示される。
【０１７０】
制作者は，上記管理画面を通じて，視聴者であるユーザが番組に対してどの程度再放送を要求しているのか等の状況を把握することが可能となる。なお，制作者の状況把握に限定されず，例えば，再放送要求が所定数を超えた場合，自動的に番組情報送出装置２０４等が空いている放送日時を検索し，番組編成に必要な再放送日時などの情報を決定し，自動的に再放送番組の編成処理をする場合でも実行可能である。さらに編成終了後，番組情報に上記再放送日時等の情報が更新される。なお，再放送が決定した番組については，再放送情報として，再放送を要求した利用者端末１０１または各利用者端末１０１に送信する場合でもよい。利用者端末１０１は，上記再放送情報に基づいて番組情報を更新する。
【０１７１】
次に，図９を参照しながら，本実施の形態にかかるグループ番組表の変形例について説明する。図９は，図５に示すグループ番組表の変形例である。
【０１７２】
図９に示すように，グループ番組表の変形例として，画面にグループ番組が放送局毎にリスト表示される場合でも良い。なお，図９に示すように，所定のサイズからなるセル内にグループ番組はタイトル等，所定情報が表示される。
【０１７３】
なお，図９ではグループ番組のジャンルが異なる場合でも画面上に表示されるセルは何ら変更がないが，かかる例に限定されず，例えば，グループ番組のジャンルがドラマである場合，ドラマのグループ番組であるセルは赤色に表示される場合等でもよく，映画のグループ番組であるセルは，表示されるタイトルなどの情報が点滅する場合等でもよい。
【０１７４】
さらに，グループ番組に属する１又は２以上の番組の放送日時が共通している場合，例えば横軸が放送局で，縦軸が時間帯とするグループ番組表の放送局・放送日時が対応する位置にグループ番組の上記セルが表示される場合でも実施可能である。
【０１７５】
（番組情報について）
次に，本実施の形態にかかる番組情報について説明する。番組情報は，番組メタ情報またはＥＰＧ情報などを例示することができる。なお，上記番組メタ情報は，ＥＰＧ情報に準拠する情報である。
【０１７６】
ＥＰＧ形式の番組を配信等するＥＰＧサービスでは，上記ＥＰＧ情報が番組情報として用いられるが，ＥＣＧサービスでは，番組情報として番組メタ情報を用い，さらにコンテンツメタ情報と，番組メタ情報とコンテンツメタ情報とを紐付けることで，番組とコンテンツとを関連付ける「ひも付けメタ情報」などが用いられる。なお，本実施の形態にかかるグループ番組表提供システム１００では，上記ＥＰＧサービスを採用するが，ＥＣＧサービスを採用する場合であっても実施可能である。
【０１７７】
なお，特に記載がない場合，本実施の形態にかかるひも付けメタ情報をＥＣＧ情報とするが，かかる例に限定されず，例えば，ＥＣＧ情報には，番組メタ情報，コンテンツメタ情報，ひも付けメタ情報などが含まれても良い。
【０１７８】
ＥＰＧ情報は，ＴＶ番組を検索するための電子番組表データである。ＥＰＧ情報を各利用者端末１０１に配信する場合，現状の放送波におけるＳＩ（Ｓｙｓｔｅｍ  Ｉｎｆｏｒｍａｔｉｏｎ）やインターネット上のＥＰＧ情報を配信するＥＰＧサービスサーバ等（ＥＰＧサービスごとに内容は一部異なる。）によって，配信される。
【０１７９】
ＥＰＧサービスを拡張した上記ＥＣＧサービスを利用することにより，検索対象がテレビ番組に限定されず，ネットワーク１０３を介して取得可能な各種コンテンツまで検索対象とすることができ，検索された各種コンテンツを入手することができる。
【０１８０】
番組メタ情報は，ＥＣＧサービスとして提供されるメタ情報のうち，番組に関連するメタ情報である。番組メタ情報は，例えば，番組に関連する番組名，ジャンル，または出演者などを例示することができる。
【０１８１】
番組メタ情報は，上記説明の通り，ＥＰＧ情報に準拠する情報であり，配信するためには，現状の放送波におけるＳＩやインターネット上のＥＰＧサービスサーバ１０８（ＥＰＧサービスごとに内容は一部異なる。）により，配信される情報に類する。番組メタ情報は，ＥＰＧ情報のデータ構造と相違するが，番組メタ情報がＥＰＧ情報として表現されても内容は実質同じである。
【０１８２】
コンテンツメタ情報は，ＥＣＧサービスに含まれるメタ情報である。また，コンテンツメタ情報は，ひも付けメタ情報によって，番組メタ情報と紐付けられており，番組メタ情報をアクセスすることで，適宜必要なコンテンツメタ情報を取得することができる。なお，コンテンツメタ情報に基づいて，さらにアクセスすると，番組に関連する書籍やＣＤ等のコンテンツ実体を購入またはアクセス可能となる。
【０１８３】
上記コンテンツメタ情報は，例えば，ＵＲＩ（Ｕｎｉｖｅｒｓａｌ  Ｒｅｓｏｕｒｃｅ  Ｉｄｅｎｔｉｆｉｅｒ）であるコンテンツ実体の所在情報（場所情報），名称，カテゴリ，著者などの人名，コンテンツ実体の制作者名，上記コンテンツ実体を提供するサービス有効期限などを例示することができる。なお，ＵＲＬは，上記ＵＲＩの体系に含まれる。
【０１８４】
ＥＰＧ情報は，例えば，番組のタイトル名，番組のジャンル，出演者などの情報が含まれている。番組のジャンルは，放送される番組のジャンルを示し，例えば，ドラマや，音楽，またはバラエティなどを例示することができる。出演者は，例えば，出演者の芸名または略称等を示しているが，かかる例に限定されない。
【０１８５】
なお，番組メタ情報は，上記ＥＰＧ情報とほぼ同様な構成であるが，かかる例に限定されず，例えば，さらに出演者の属性（“俳優”，“歌手”，“スポーツ選手”，“コメディアン”，または“画家”など。）が含まれる場合等でも実施可能である。
【０１８６】
コンテンツメタ情報は，例えば，楽曲に関連するコンテンツの場合，“曲名”，“アーティスト名”，“レコード会社名”，または“楽曲購買サイトＵＲＬ”などの楽曲に関連する情報が含まれる。
【０１８７】
さらには，コンテンツを販売する“店名”または“所在地”などのお店に関するコンテンツメタ情報や，“商品名”または“商品購買サイトＵＲＬ”などの商品に関するコンテンツメタ情報や，“利用者からのアクセスを促進したいサイトのＵＲＬ”などの勧誘に関するコンテンツメタ情報等を例示することができる。
【０１８８】
なお，本実施の形態にかかるコンテンツメタ情報は，楽曲，お店，賞品，または勧誘に該当するメタ情報である場合を例に挙げて説明したが，例えば，番組に関連するもの等であれば，かかる例に限定されない。
【０１８９】
また，本実施の形態にかかるコンテンツメタ情報には，上記説明したように楽曲に関連する情報や，お店に関する情報，勧誘に関する情報等が記述される。例えば，コンテンツメタ情報が映画のＤＶＤに関する情報の場合，コンテンツメタ情報には，当該ＤＶＤを販売する店名，お店の所在地，ＤＶＤの商品名，お店等のアクセスサイトのＵＲＬ等が記述される。
【０１９０】
（ＥＰＧ情報）
ここで，図１０を参照しながら，本実施の形態にかかるＥＰＧ情報のデータ構造について説明する。図１０は，本実施の形態にかかるＥＰＧ情報のデータ構造を示す説明図である。
【０１９１】
図１０に示すように，ＥＰＧ情報のデータ構造は，例えば，ＸＭＬ形式からなる。ＥＰＧ情報は，ＥＰＧ情報を識別するためのＥＰＧ情報ＩＤ，タイトル，ジャンル，出演者，放送時間，番組の前編・後編などの放送回数を示すセグメント，グループひも付けＩＤなどを示す要素または属性を含むタグから構成される。
【０１９２】
上記要素または属性のうち，番組にかかるタイトル，ジャンル等の属性を含むタグは，図８に示すタグ８００（タグ８００−１，タグ８００−２）である。
【０１９３】
タグ８００−１のうち，「ｉｄ＝“Ｐ１２３４５６７８”」はＥＰＧ情報ＩＤを示し，番組編成時等で一意的に割当てられる番組またはＥＰＧ情報の識別子である。「ｎａｍｅ＝“ＤＤＤＤ”」は，番組のタイトルが「ＤＤＤＤ」であることを示している。
【０１９４】
また，タグ８００−１のうち「ｇｅｎｒｅ＝“ｎｅｗｓ”」は，番組のジャンルが「ｎｅｗｓ（ニュース）」であることを示し，「ｋｅｙｗｏｒｄｓ＝“ＪＪＪ  ＫＫＫ  ＬＬＬ”」であることを示している。「ＳｐｏｎｓｏｒＩｎｆｏｍａｔｉｏｎ＝“Ｚｏｎｙ”」は，当該番組のスポンサーを示している。
【０１９５】
なお，上記「ｋｅｙｗｏｒｄｓ」は，ＥＰＧ情報ごとに設定され，ジャンルや，上記「ｋｅｙｗｏｒｄｓ（キーワード）」の属性値を検索することで，該当の番組を検索することができる。例えば，キーワードには番組の特徴などを象徴するような単語が設定されると，番組の特徴と類似するような他の番組を効率的に検索できる。上記説明の「ｋｅｙｗｏｒｄｓ＝“ＪＪＪ  ＫＫＫ  ＬＬＬ”」には「ＪＪＪ」，「ＫＫＫ」，および「ＬＬＬ」と３つのキーワードが存在する。キーワード設定する際にスペースで区切ることで複数のキーワードを設定することができる。
【０１９６】
次に，要素８０２には，番組編成された際に登録される放送日時などが設定される。例えば要素８０２−１である＜ｏａ  ｓｔａｒｔ＿ｄａｔｅ＝“２００４／１０／１”〜＞のタグに記載された「ｓｔａｒｔ＿ｄａｔｅ＝“２００４／１０／１”」は番組の放送年月日を示し，「ｓｔａｒｔ＿ｔｉｍｅ＝“２０：００：００”」は，番組の放送時刻を示し，「ｄｕｒａｔｉｏｎ＝“０１：００：００”」は番組の放送時間を示している。
【０１９７】
次に，要素８０１には，番組に出演する出演者等に関する情報が設定される。例えば，＜Ｐｅｒｓｏｎ  ｉｄ＝“１＿１”  ｎａｍｅ＝“ａｂｃ”  Ｂｉｒｔｈｐｌａｃｅ＝“Ｊａｐａｎ”／＞のタグのうち，「ｎａｍｅ」の属性（ａｂｃ）が出演者の氏名を示し，「Ｂｉｒｔｈｐｌａｃｅ」の属性（Ｊａｐａｎ）が，出演者が生誕した場所を示している。なお，要素８０１の属性は，かかる例に限定されず，例えば，俳優，コメディアンなどの出演者のカテゴリを示す属性が含まれる場合であっても実施可能である。
【０１９８】
タグ８０４には，当該ＥＰＧ情報とグループ情報とをひも付けるためのグループひも付けＩＤが属性として含まれている。グループひも付けＩＤ（ｒｅｌａｔｉｏｎ  ｇｒｏｕｐ＿ｉｄ＿ｌｉｓｔ）は，タグ８０４に示すように“Ｇ１２３４５”である。上記グループひも付けＩＤが双ＥＰＧ情報とグループ情報の双方に設定されることで，ひも付けることができる。
【０１９９】
なお，本実施の形態にかかる番組メタ情報のデータ構造は，ＸＭＬ形式の場合を例に挙げて説明したが，かかる例に限定されず，例えば，番組メタ情報のデータ構造は，ＨＴＭＬ（Ｈｙｐｅｒ  Ｔｅｘｔ  Ｍａｒｋｕｐ  Ｌａｎｇｕａｇｅ）形式などの場合であっても実施可能である。
【０２００】
また，本実施の形態にかかるＥＰＧ情報のタグ内に記載された属性名等は，属性の定義等を行うことで，いかなる名前をつけること場合であっても実施可能である。
【０２０１】
次に，図１１を参照しながら，本実施の形態にかかるコンテンツメタ情報のデータ構造について説明する。図１１は，本実施の形態にかかるコンテンツメタ情報のデータ構造を示す説明図である。
【０２０２】
図１１に示すように，コンテンツメタ情報のデータ構造は，ＸＭＬ形式からなる。コンテンツメタ情報は，コンテンツメタ情報ＩＤ，商品名，ジャンル，キーワード，製造元，価格，コンテンツの詳細情報などを示す要素または属性を含むタグ９００から構成される。
【０２０３】
タグ９００のうち，「ｉｄ＝“Ｃ１２３４５”」は，「Ｃ１２３４５」からなるコンテンツメタ情報ＩＤであり，コンテンツ作成時等で一意的に割当てられるコンテンツまたはコンテンツメタ情報の識別子である。「ｎａｍｅ＝“商品１”」は，コンテンツの商品名が「商品１」であることを示している。
【０２０４】
また，タグ９００のうち「ｇｅｎｒｅ＝“出版”」は，コンテンツのジャンルが「出版」であることを示し，「ｋｅｙｗｏｒｄｓ＝“ＸＸＸ  ＹＹＹ  ＺＺＺ”」であることを示している。なお，上記「ｋｅｙｗｏｒｄｓ」は，上述の通り，コンテンツメタ情報ごとに設定され，ジャンルや，上記キーワードの属性値を検索することで，該当するコンテンツを検索することができる。
【０２０５】
「ｍａｋｅｒ＝“ｚｏｎｙ”」は，コンテンツの実体の製造元が「ｚｏｎｙ」であることを示している。
【０２０６】
「ｐｒｉｃｅ＝“１００円”」は，当該商品であるコンテンツの価格が「１００円」であることを示していおり，「ｃｏｎｔｅｎｔ＿ｉｎｆｏ」は，コンテンツの詳細情報について示しており，例えば，「“ｈｔｔｐ：／／ｗｗｗ．ｚｏｎｙ．ｃｏ．ｊｐ”」のように，ＵＲＬ情報などのＵＲＩが設定される。
【０２０７】
なお，本実施の形態にかかるコンテンツメタ情報の属性には，コンテンツのサムネイル画像のＵＲＬ情報などによるリンク先（存在場所）を示す属性が含まれていなかったが，上記サムネイル画像のリンク先を示す属性がタグ９００に含まれる場合であっても実施可能である。
【０２０８】
なお，本実施の形態にかかるコンテンツメタ情報のデータ構造は，ＸＭＬ形式の場合を例に挙げて説明したが，かかる例に限定されず，例えば，コンテンツメタ情報のデータ構造は，ＨＴＭＬ（Ｈｙｐｅｒ  Ｔｅｘｔ  Ｍａｒｋｕｐ  Ｌａｎｇｕａｇｅ）形式などの場合であっても実施可能である。
【０２０９】
また，本実施の形態にかかるコンテンツメタ情報のタグ内に記載された属性名等は，属性の定義等を行うことで，いかなる名前をつけること場合であっても実施可能である。
【０２１０】
次に，図１２を参照しながら，本実施の形態にかかるグループ情報のデータ構造について説明する。図１２は，本実施の形態にかかるグループ情報のデータ構造の概略を示す説明図である。
【０２１１】
図１２に示すように，グループ情報には，上記説明したように，グループ情報ＩＤ，タイトル，ジャンル等のグループ情報を識別する識別情報が含まれている。さらに，グループ内に属する１又は２以上の番組の番組情報にリンクするための番組識別情報が含まれている。
【０２１２】
グループ情報を識別する上記識別情報は，図１２に示すように，最上行に記述された，“＜ｐｒｏｇｒａｍ＿ｇｒｏｕｐ  ｉｄ＝“Ｇ１２３４５”〜＞に含まれている。例えば，識別情報のうち，グループ情報ＩＤ（ｐｒｏｇｒａｍ＿ｇｒｏｕｐ  ｉｄ）は，「Ｇ１２３４５」であり，グループ番組のタイトル（ｔｉｔｌｅ）は，「女はつらいよ全集」であり，ジャンル（ｇｅｎｒｅ）は「映画」である。
【０２１３】
上記番組識別情報は，少なくともＥＰＧ情報ＩＤ（ｐｒｏｇｒａｍ＿ｉｄ）のＩＤ（Ｐ１２３４５６７８等），番組のタイトル（ｎａｍｅ）の名前（第１話など）への参照情報が含まれている。グループ番組を表示する際には，利用者端末１０１は上記グループ情報にアクセスすると，グループ情報に含まれるタイトル，ジャンル等の所定の情報を取得するとともに，グループ情報に含まれる番組識別情報のＥＰＧ情報ＩＤ，タイトルを取得し，上記取得した情報を画面上に表示する。
【０２１４】
次に，図１３を参照しながら，本実施の形態にかかるひも付けメタ情報のデータ構造について説明する。図１３は，本実施の形態にかかるひも付けメタ情報のデータ構造を示す説明図である。なお，ひも付けメタ情報は，ＥＣＧサービスで使用する番組メタ情報とコンテンツメタ情報とをひも付けるための識別情報等を含んだメタ情報のことである。
【０２１５】
図１３に示すように，ひも付けメタ情報のデータ構造は，ＸＭＬ形式からなる。ひも付けメタ情報は，ひも付けメタ情報参照ＩＤ，ひも付けメタ情報名，ひも付け有効期限，または関連付けられた番組またはコンテンツのジャンルなどを示す要素または属性を含むタグ９０１，タグ群９０２から構成される。
【０２１６】
図１０に示すように，タグ９０１のうち，「ｉｄ＝“Ｌ１２３４５”」は，識別番号が「Ｌ１２３４５」からなる，ひも付けメタ情報参照ＩＤであり，例えば，ひも付けメタ情報生成時点で一意的に割当てられる。「ｎａｍｅ＝“ＨＨＨ”」は，ひも付けメタ情報名が「ＨＨＨ」であることを示している。
【０２１７】
また，タグ９０１のうち「ｓｔａｒｔ＿ｔｉｍｅ＝“２００３／１０／３：００：００：００”ｅｎｄ＿ｔｉｍｅ＝“２００３／１２／２５：００：００：００”」は，ひも付けメタ情報の有効期限を示している。
【０２１８】
上記ひも付けメタ情報の有効期限のうち，「ｓｔａｒｔ＿ｔｉｍｅ＝“２００４／１０／３：００：００：００”」は，「２００４／１０／３：００：００：００（２００４年１０月３日００時００分００秒）」などのように開始日時を示し，「ｅｎｄ＿ｔｉｍｅ＝“２００４／１２／２５：００：００：００”」は，「２００４／１２／２５：００：００：００」などのように，終了日時を示している。
【０２１９】
上記ひも付けメタ情報の有効期限を設定することで，ひも付けメタ情報を利用者端末装置１０１が参照し，ひも付けメタ情報に設定された関連する番組メタ情報またはコンテンツメタ情報に対するアクセスを制御することができる。なお，有効期限が過ぎたひも付けメタ情報を参照し，関連付けられたメタ情報にアクセスする場合は，利用者端末装置１０１に再度，課金徴収する，もしくは改めて利用するための契約を結ぶなどの手段を例示することができる。
【０２２０】
さらに，タグ群９０２は，複数のタグから構成されており，各タグは，ひも付けられた番組メタ情報またはコンテンツメタ情報を示している。図１０に示すように，「ｌｉｎｋ＿ｐｒｏｇｒａｍ
ｉｄ」は，ひも付けメタ情報内で番組メタ情報またはコンテンツメタ情報ごとに一意になるように割当てられる識別子である。
【０２２１】
「ｐｒｏｇｒａｍ＿ｉｄ」は，上述の通り，番組メタ情報を識別する番組メタ情報ＩＤである。また，「ｃｏｎｔｅｎｔ＿ｉｄ」は，上述の通り，コンテンツメタ情報ＩＤを示している。
【０２２２】
したがって，ひも付けメタ情報における上記番組メタ情報ＩＤまたはコンテンツメタ情報ＩＤを参照することで，ひも付けられた番組メタ情報またはコンテンツメタ情報を取得（または，獲得，アクセス）することが可能となる。
【０２２３】
さらに，「ｇｅｎｒｅ」の属性は，番組またはコンテンツのジャンルを示している。例えば，図１０に示すように，「ショッピング」，「スポーツ」，「ＤＶＤ」，「出版」などのジャンルを例示することができる。
【０２２４】
なお，本実施の形態にかかるひも付けメタ情報のデータ構造は，ＸＭＬ形式の場合を例に挙げて説明したが，かかる例に限定されず，例えば，ひも付けメタ情報のデータ構造は，ＨＴＭＬ（Ｈｙｐｅｒ  Ｔｅｘｔ  Ｍａｒｋｕｐ  Ｌａｎｇｕａｇｅ）形式などの場合であっても実施可能である。
【０２２５】
また，本実施の形態にかかるひも付けメタ情報のタグ内に記載された属性名等は，属性の定義等を行うことで，いかなる名前をつけること場合であっても実施可能である。
【０２２６】
ここで，本実施の形態にかかる“選択”とは，例えば入力部であるマウスのクリックや，ボタンの押下により番組コンテンツ要素が指定された状態や，マウスカーソルなどがその番組メタ情報等の表示の上に合わせている状態（ｏｎＭｏｕｓｅ），またはリモコン操作等により選択するための枠（カーソル）がその番組メタ情報等の表示領域上に表示されている状態，などを含む。
【０２２７】
（グループ情報の処理について）
次に，図１４を参照しながら，本実施の形態にかかるグループ情報の処理について説明する。図１４は，本実施の形態にかかるグループ情報を処理する工程の概略を示す説明図である。
【０２２８】
図１４に示すように，利用者端末１０１は，ユーザからのグループ番組表を表示する指示を受付けると，ネットワーク１０３を介して，グループ化装置１２２又は放送設備装置１２６にアクセスし，グループ情報およびＥＰＧ情報を取得する。なお，取得対象となるグループ情報，ＥＰＧ情報は，例えば当日作成された最新の情報のみの場合，ユーザから指示された該当する情報のみの場合などを例示することができる。
【０２２９】
利用者端末１０１が放送・通信受信部２３０を介してグループ情報およびＥＰＧ情報を受信すると，Ｗｅｂブラウザまたはグループ閲覧・操作部２５０がグループ情報，ＥＰＧ情報に含まれる必要な情報を取得し，グループ閲覧・操作部２５０は，グループ番組表を表示部２３５に表示する（Ｓ１４０１）。
【０２３０】
グループ番組表の表示（Ｓ１４０１）は，まず受信または記憶するグループ情報を全て取得し，各グループ情報に含まれるグループ情報ＩＤに基づき，グループステータス情報をアクセスする。
【０２３１】
グループステータス情報を取得すると，グループ情報に含まれるグループ番組のタイトル，ジャンル等の属性とともに，当該グループステータス情報をグループ番組ごとに画面に表示する。以上の処理によってグループ番組表が表示される（Ｓ１４０１）
【０２３２】
なお，利用者は，利用者端末１０１の電源投入時に画面に表示される番組表を予め設定しておくことが可能である。例えば，グループ番組表を電源投入時の初期画面として設定しておくことで，初期画面が表示される度にグループ番組表が表示される。
【０２３３】
次に，表示されたグループ番組表の中に，グループ情報が存在するか否か確認し（Ｓ１４０３），グループ情報が存在した上で，ユーザにより入力部２３７を介してグループ番組の選択を受付けると（Ｓ１４０５），利用者端末１０１は，グループ番組の詳細を表示する（Ｓ１４０７）。
【０２３４】
上記グループ番組の詳細表示（Ｓ１４０７）は，選択されたグループ情報に含まれる１又は２以上の各番組のＥＰＧ情報ＩＤを参照し，当該ＥＰＧ情報ＩＤに相当する番組ステータス情報をアクセスする。
【０２３５】
上記各番組の番組ステータス情報を取得すると，環境設定情報に従って，画面上に番組ステータス情報に設定された各ステータスをステータス項目に表示すると共に，各番組のタイトルなどの属性を画面に表示する。以上の処理によって，グループ番組の詳細表示処理が完了する（Ｓ１４０７）。
【０２３６】
次に，利用者端末１０１は，ユーザからマイグループ番組表の利用を受付けると（Ｓ１４０９），利用者端末１０１に備わるグループ閲覧・操作部２５０等は，マイグループ番組表にユーザにより指示された番組のＥＰＧ情報ＩＤ等をマイグループ番組表に追加し，マイグループ番組表に番組の登録を行う（Ｓ１４１１）。
【０２３７】
また，ユーザからマイグループ番組表の利用を受付けない場合，利用者端末１０１は，ユーザから視聴または録画予約の指示を受付けた番組について，視聴予約または録画予約処理を実行する（Ｓ１４１３）。
【０２３８】
視聴予約処理は，指示を受付けた番組の放送日時の所定時間前に視聴予約した旨のメッセージが記載されたメールが予め登録したユーザのメールアドレスに送信する処理である。
【０２３９】
さらに，視聴予約処理を実行すると，当該番組の番組ステータス情報のうち「視聴状況」のステータスが例えばヌル値から視聴予約に更新され，グループステータス情報の「視聴状況」が再度新たに全番組から例えば視聴予約以上のステータスである番組をカウントした上で更新される。
【０２４０】
録画予約処理は，周辺機器制御部２５８を介してＰＶＲ１１７ｂ等に録画予約を指示するとともに，録画予約の指示を受付けた番組の放送日時の所定時間前に録画予約した旨のメッセージが記載されたメールが予め登録したユーザのメールアドレス宛に送信される処理である。
【０２４１】
さらに，録画予約処理を実行すると，当該番組の番組ステータス情報のうち「録画予約」のステータスが例えばヌル値から録画予約に更新され，グループステータス情報の「録画予約」が再度新たに全番組から例えば録画予約以上のステータスである番組をカウントした上で更新される。
【０２４２】
仮に，視聴予約または録画予約したにもかかわらず，番組を見逃してしまった場合，利用者端末１０１が自動的またはユーザからの指示で，番組の再放送や，番組が記録されたＤＶＤ等のパッケージ情報を，ネットワーク１０３を介して，要求する（Ｓ１４１５）。
【０２４３】
上記再放送のリクエストや，パッケージ情報の要求など，利用者端末１０１の履歴（ログ）は，所定時間毎にネットワーク１０３を介して利用者端末１０１から放送設備装置１２６に備わるグループ管理装置２０５に送信される（Ｓ１４１７）。
【０２４４】
以上から，グループ情報を利用者端末１０１が受信し，グループ情報に含むステータス情報を加工等することで表示されたグループ番組表は，利用者がグループ化された番組を視聴，録画する際に非常に効率よく予約処理等を実行するよう促進することができる。
【０２４５】
次に，図１５を参照しながら，本実施の形態にかかるグループ番組の管理について説明する。図１５は，本実施の形態にかかるグループ番組の管理の工程を概略的に示すフローチャートである。
【０２４６】
図１５に示すように，まず，サービス提供側である制作者等からの指示で，グループ化装置１２２等と接続している制作端末（図示せず。）は，所定のアプリケーションを起動する（Ｓ１５０１）。なお，上記アプリケーションは，上記説明した図８の管理画面を表示または編集可能な機能を有すれば，ソフトウェアの種類などには限定されず，いかなるソフトウェアでも実施可能である。
【０２４７】
次に，ユーザによって，適当なグループ番組を選択する指示を受付けると（Ｓ１５０３），当該ユーザにより選択されたグループ番組のグループ情報が存在するか否かを確認し，グループ情報が存在する場合（Ｓ１５０５），まずグループ情報ＩＤからグループステータス情報をアクセスする。
【０２４８】
制御端末がグループステータス情報を取得すると，そこに含まれる「視聴状況」のステータスを画面に表示する（Ｓ１５０７）。制作者などは上記ステータス項目を確認することで，グループ内に含む番組全体からみた，ユーザの視聴状況を把握することができる。
【０２４９】
また，必要に応じて，グループ番組に構成する１又は２以上の各番組のステータスを画面に表示することもできる（Ｓ１５０９）。したがって，各番組のステータスについても同時に確認することができる。
【０２５０】
さらに，利用者端末１０１は，グループ情報に含むＥＰＧ情報ＩＤを参照することで，表示部２３５の画面上に「再放送」，「パッケージ」等のステータス項目とそのステータスを各ＥＰＧ情報毎に表示する（Ｓ１５１１）。
【０２５１】
上記説明した通り，制作者は，管理画面に表示された「再放送」または「パッケージ」等のステータス項目に表示されるステータスから，放送局１０２に寄せられた利用者端末１０１からの再放送またはパッケージ情報等を要望するリクエスト情報の絶対数を確認することができる。
【０２５２】
制作者は，表示画面に表示された再放送の要求数などを勘案し，定期的に行われる番組編成会議等において，他のグループ番組に含む番組との調整をしながら，番組の再放送の計画を策定する（Ｓ１５１３）。
【０２５３】
同様に，制作者は，表示画面に表示されたパッケージ情報の要求数などを勘案し，番組のコンテンツを書籍，ＤＶＤ，映画等の二次的著作物に翻案するか否かをマーケティング会議等によって決定する（Ｓ１５１５）。
【０２５４】
次に，図１６を参照しながら，本実施の形態にかかるグループ情報の制作処理について説明する。図１６は，本実施の形態にかかるグループ情報の制作処理の概略的な構成を示すフローチャートである。
【０２５５】
図１６に示すように，まず，サービス提供側である制作者等からの指示で，グループ化装置１２２等と接続している制作端末（図示せず。）は，所定のアプリケーションを起動する（Ｓ１６０１）。なお，上記アプリケーションは，グループ情報を新規作成または編集可能な機能を有すれば，ソフトウェアの種類などには限定されず，いかなるソフトウェアでも実施可能である。
【０２５６】
次に，アプリケーションを起動すると，画面上にグループ情報作成／編集画面が表示され，制作者がグループ情報の新規作成または編集をする場合（Ｓ１６０３），「新規作成」ボタンもしくは「編集」ボタン等をマウス等で選択する。
【０２５７】
グループ情報を新規に作成する場合（Ｓ１６０３），制作端末は，新規にグループ情報を識別するためのＩＤ（グループ情報ＩＤ）を発行する（Ｓ１６０７）。なお，編集処理の場合，当該グループ情報ＩＤの発行は，実行されない。
【０２５８】
グループ情報ＩＤが発行されると，画面上には，当該グループ情報ＩＤとともに，グループ情報に必要な入力項目が表示される。制作者は，例えば，グループ番組のタイトルなどの必要な入力事項をマウス，キーボード等を操作し，制作端末に項目設定を指示する。
【０２５９】
制作端末が，制作者による上記入力項目の設定指示を受付けると，上記設定内容に基づき，グループ情報の該当する入力項目に設定する（Ｓ１６０９）。なお，編集処理の場合，制作者からの指示によって，上記既設定のグループ情報を変更・削除等し，再設定する。
【０２６０】
グループ情報にタイトルなどの情報が設定されると（Ｓ１６０９），次に，制作端末は，グループ内に属する番組を制作者から指示を受付け，上記番組に該当するＥＰＧ情報に含まれるＥＰＧ情報ＩＤを取得する（Ｓ１６１１）。
【０２６１】
ＥＰＧ情報を取得すると，制作端末は，選択されたＥＰＧ情報に含まれるＥＰＧ情報ＩＤ全てをグループ情報に追加する。なお，グループ情報に追加するのはＥＰＧ情報に限られず，番組情報であれば，かかる例に限定されない。
【０２６２】
ＥＰＧ情報ＩＤをグループ情報に追加すると（Ｓ１６１１），次に，制作端末は，当該グループ情報に含まれるグループ情報ＩＤを追加元のＥＰＧ情報に登録する（Ｓ１６１５）。
【０２６３】
次に，制作端末は，上記追加した分のＥＰＧ情報の件数をカウントアップし，グループステータス情報の総件数を更新し，さらに，ステータス項目である「録画予約」，「視聴状況」，または「放送経過」などのステータスを更新する（Ｓ１６１７）。例えば，「放送経過」のステータスについては，実際に放送した番組件数と再度求めた番組の総件数で除算する等により，全体の放送経過状況を数値化し，ステータスを更新する。
【０２６４】
以上により，１又は２以上の番組をグループ化したグループ情報を作成することができ，グループ情報を活用することで，１又は２以上の番組情報をジャンル別等の面で統括して管理することができる。
【０２６５】
（グループ情報受信処理）
次に，図１７を参照しながら，本実施の形態にかかるグループ情報を受信する受信処理について説明する。図１７は，本実施の形態にかかるグループ情報受信処理の概略を示すフローチャートである。
【０２６６】
まず，利用者端末１０１の電源投入すると，利用者のユーザＩＤ，パスワード等の受付を要求するログイン画面が表示部２３５に表示される。次に，利用者からユーザＩＤ，パスワード等の認証情報を入力部２３７を介して受付けると，送信部２３８は，必要に応じて暗号化し，認証情報をネットワーク１０３を介して送信する。
【０２６７】
放送設備装置１２６内のグループ管理装置２０５等で認証が行われると，図１７に示すように，利用者端末１０１は，放送局１０２またはグループ化装置１２２から配信されるグループ情報等を待受ける待機状態となる。なお，図１７に示すグループ情報受信処理は，グループ情報を受信するまでループ処理する場合を例に挙げて説明するが，かかる例に限定されず，利用者端末１０１の電源がオフになるまでループ処理する場合等でも良い。
【０２６８】
利用者端末１０１がグループ情報を受信すると，利用者端末１０１は，グループ情報受信処理を実行する（Ｓ１７０１）。以下，図１８を参照しながら，サブルーチンであるグループ情報受信処理について説明する。
【０２６９】
次に，図１８を参照しながら，本実施の形態にかかるグループ情報受信処理について説明する。図１８は，本実施の形態にかかるグループ情報受信処理の概略を示すフローチャートである。
【０２７０】
図１８に示すように，まず，グループ情報を１件受信すると，上記グループ情報内にＥＰＧ情報ＩＤが存在するか否か確認し（Ｓ１８０１），ＥＰＧ情報ＩＤが存在した場合，上記ＥＰＧ情報ＩＤを取得する（Ｓ１８０３）。
【０２７１】
次に，取得したＥＰＧ情報ＩＤに基づき，該当するＥＰＧ情報を，グループ情報とともに受信したＥＰＧ情報の中から取得し，記憶部２３６ａのＥＰＧデータＤＢまたはグループデータＤＢにＥＰＧ情報，グループ情報の双方を記憶する（Ｓ１８０５）。なお，記憶する際に，利用者端末１０１は，上記双方のステータス情報（番組ステータス情報，グループステータス情報）も記憶部２３６に記憶する。
【０２７２】
上記確認処理（Ｓ１８０１）〜保存処理（Ｓ１８０５）までの一連の処理を，受信したグループ情報が無くなるまで，利用者端末１０１は，ループ処理する。以上で，本実施の形態にかかるグループ情報受信処理（Ｓ１７０１）が終了する。
【０２７３】
（グループ番組表の表示処理）
次に，図１９を参照しながら，本実施の形態にかかるグループ番組表の表示処理について説明する。図１９は，本実施の形態にかかるグループ番組表表示処理の概略を示すフローチャートである。
【０２７４】
利用者端末１０１が放送局１０２等からグループ情報，ＥＰＧ情報等の各種情報を受信し，記憶部２３６に保存されると，画面上にグループ番組表を表示することができる。
【０２７５】
図１９に示すように，例えば，メニュー画面が表示された状態で，利用者端末１０１の制御部２４０等がユーザからグループ番組表の表示指示を受付けると（Ｓ１９０１），グループ閲覧・操作部２５０に対し，グループ番組表の表示を命令する。
【０２７６】
グループ閲覧・操作部２５０は，記憶部２３６ａに記憶されたグループ情報を１件ずつ取得する（Ｓ１９０３）。なお，１件も存在しない場合，エラー処理実行後，利用者端末１０１の制御部２４０は表示部２３５の画面上にエラー表示させる。
【０２７７】
グループ情報を取得すると（Ｓ１９０３），グループ閲覧・操作部２５０は，グループ情報に含まれるグループ番組のタイトル情報を抽出し，グループ番組のタイトルが画面上の所定位置に表示されるようグループ番組表の表示画面データを加工する。
【０２７８】
グループ番組表の表示画面データが加工されると抽出されたグループ番組のタイトルが，画面上の所定位置に表示される（Ｓ１９０５）。
【０２７９】
次に，グループ閲覧・操作部２５０が，利用者端末１０１の記憶部２３６ｂに記憶された環境設定情報を読み込み，グループ番組表にステータス項目を表示する対象を決定する（Ｓ１９０７）。
【０２８０】
表示項目が決定すると（Ｓ１９０７），利用者端末１０１は，グループステータス情報に設定された各ステータス項目のステータスを上記環境設定情報に従って，画面上に表示する（Ｓ１９０９）。
【０２８１】
上記ステータスが表示されると，次に記憶部２３６ｂに記憶されたグループ情報を１件読み込み，上記説明の通り，タイトル表示（Ｓ１９０５）〜グループ情報取得（Ｓ１９１１）まで，グループデータＤＢに格納されたグループ情報を全件読み終わるまで，ループ処理が実行される。
【０２８２】
以上，図１９に示す一連の処理が終了すると，利用者端末１０１の表示部２３５の画面上には，図５で説明したグループ番組表が表示される。
【０２８３】
次に，図２０を参照しながら，本実施の形態にかかるグループステータス情報の表示処理について説明する。図２０は，本実施の形態にかかるグループステータス情報の表示処理の概略を示すフローチャートである。
【０２８４】
図１９に示すステータス項目のステータス表示（Ｓ１９０９）は，図２０に示すように，まず，グループ情報内に含むＥＰＧ情報ＩＤの数をカウントし，グループ内全体の番組件数を求める（Ｓ２００１）。
【０２８５】
次に，グループ情報内に含むＥＰＧ情報ＩＤを１件単位で取得する（Ｓ２００３）と，上記ＥＰＧ情報ＩＤに基づき，記憶部２３６ａのＥＰＧデータＤＢに格納された該当する番組ステータス情報を取得する（Ｓ２００５）。
【０２８６】
番組ステータス情報を取得する（Ｓ２００５）と，各ステータス項目に係るステータスを読み取り，対応するステータス件数に１件加算し，作業領域に加算結果の数値をキャッシュする（Ｓ２００９）。例えば，ステータス項目「放送経過」のステータスを読み取り，上記ステータスが「放送終了」の場合，作業領域にキャッシュされた「放送終了」に該当するステータス件数に１件加算する。
【０２８７】
次に，グループ内に含まれる番組の総数を示す番組総件数に１件加算し，作業領域に加算結果の数値をキャッシュする（Ｓ２００９）。キャッシュ後，グループ情報内に含まれるＥＰＧ情報ＩＤを取得する（Ｓ２０１３）。
【０２８８】
上記番組ステート情報の取得処理（Ｓ２００５）〜ＥＰＧ情報ＩＤの取得処理（Ｓ２０１３）までの処理を，作業領域に一時保持される番組総件数が，既に求められた（Ｓ２００１）番組件数を超えるまで，ループ処理される。
【０２８９】
上記ループ処理が終了すると，グループ閲覧・操作部２５０は，作業領域にキャッシュされたステータス件数および番組総件数等に基づき，グループ情報に係るステータスを求める。
【０２９０】
例えば，グループ内に構成する番組総件数が６件で，ステータス項目「放送経過」のステータスが「放送開始前」が１件，「放送中」が１件，「放送終了」が４件の場合，放送終了済の番組の割合が４件を６件で割り算し，求めると６７％が放送終了済である。上記算出結果に基づき，例えば，グループ情報に係る全番組の放送経過のステータスは「ほぼ放送終了」または「６６％放送終了」等とステータスが決定する。なお，決定したステータスは，グループステータス情報の該当するステータス項目に登録される。未登録であれば新規に格納され，既に登録されていれば更新される。
【０２９１】
各ステータス項目毎にステータスが決定すると，グループ閲覧・操作部２５０は，グループ番組のステータスが画面上の所定位置に表示されるようグループ番組表の表示画面データを加工する。
【０２９２】
グループ番組表の表示画面データが加工されるとグループ番組の各項目のステータスが，画面上の所定位置に表示される（Ｓ２０１５）。以上で，一連のグループ情報に係るステータスの画面表示処理が終了する（Ｓ１９０９）。ステータスが画面表示されると，図５に示すように番組全体の状況を的確にユーザに対して把握させることができる。
【０２９３】
次に，図２１を参照しながら，本実施の形態にかかるグループ情報の詳細表示処理について説明する。図２１は，本実施の形態にかかるグループ情報の詳細表示の概略を示すフローチャートである。
【０２９４】
図１９に示すように，例えば，グループ番組表が画面表示された状態で，利用者端末１０１の制御部２４０等がユーザからグループ番組表の詳細表示の指示を受付けると（Ｓ２１０１），グループ閲覧・操作部２５０に対し，グループ番組表の詳細を表示するよう命令する。ユーザから詳細表示の指示は，具体的には，図５に示す「詳細」ボタンが入力部２３７で押下された場合等である。
【０２９５】
グループ閲覧・操作部２５０は，記憶部２３６ａに記憶されたグループ情報を１件ずつ取得し，グループ情報に含まれるＥＰＧ情報ＩＤ等の番組識別情報を１件取得する（Ｓ２１０３）。なお，１件も存在しない場合，エラー処理実行後，利用者端末１０１の制御部２４０は表示部２３５の画面上にエラー表示させる。なお，上記番組識別情報は，上記説明した通り，例えば，ＥＰＧ情報ＩＤ，番組のタイトル等を含む番組の識別情報である。
【０２９６】
番組識別情報を取得すると（Ｓ２１０３），グループ閲覧・操作部２５０は，番組識別情報に含まれる番組のタイトル情報を抽出し，当該番組のタイトルが画面上の所定位置に表示されるようグループ番組表の表示画面データを加工する。
【０２９７】
グループ番組表の表示画面データが加工されると，番組識別情報から抽出された番組のタイトルが，画面上の所定位置に表示される（Ｓ２１０５）。
【０２９８】
次に，利用者端末１０１は，取得したＥＰＧ情報ＩＤに基づき，該当する番組ステータス情報にアクセスする（Ｓ２１０７）。なお，番組ステータス情報は，例えば，ＥＰＧ情報が格納される記憶部２３６ａ等にＥＰＧ情報とともに記憶される。
【０２９９】
番組ステータス情報を取得すると（Ｓ２１０７），次に，番組ステータス情報に含まれるステータス項目についてのステータスを取得する（Ｓ２１０９）。なお，本実施の形態にかかるステータスはステータス項目の１項目ごとに取得し，環境設定情報を参照する場合を例に挙げて説明するが，かかる例に限定されず，全項目を一括して取得した後，環境設定情報を参照する場合等でもよい。
【０３００】
次に，利用者端末１０１は，環境設定情報に従って，取得したステータスが画面に表示可能であるか否かを判断し（Ｓ２１１１），表示可能である場合，取得したステータスを作業領域である表示用データ領域に一時確保する（Ｓ２１１３）。なお，ステータスの表示許可／不許可を決定する条件は環境設定情報に予め登録されている。
【０３０１】
取得した番組ステータス情報に含まれるステータスを全て読み取り，表示用データ領域に確保すると，表示用データ領域に確保されたステータスをグループ番組表の詳細画面の所定位置に表示するため，グループ閲覧・操作部２５０は，詳細画面用の表示画面データを加工し，番組のステータスを画面上に表示させる（Ｓ２１１５）。
【０３０２】
以上の処理（Ｓ２１０５〜Ｓ２１１５）は，グループ内のＥＰＧ情報ＩＤ全部を参照するまで，ループ処理される。全てのＥＰＧ情報に係る番組ステータス情報がアクセスされ，グループ番組表の詳細画面にステータスが表示されると，本実施の形態にかかるグループ情報の詳細表示処理が終了する。
【０３０３】
（再放送要求処理）
次に，図２２を参照しながら，本実施の形態に係る再放送要求処理について説明する。図２２は，本実施の形態にかかる再放送要求処理の概略を示すフローチャートである。
【０３０４】
図２２に示すように，まず利用者端末１０１は，環境設定情報をアクセスし，予め再放送要求処理を許可する旨の設定がなされているか確認する（Ｓ２２０１）。なお，不許可の場合，エラー処理実行後，強制終了する。
【０３０５】
次に，記憶部２３６ａのグループデータＤＢに格納されたグループ情報を取得する（Ｓ２２０３）。さらに，グループ情報に係るグループステータス情報をアクセスし，当該グループステータス情報の「視聴状況」または「録画状況」等のステータスを確認する（Ｓ２２０５）。なお，確認対象のステータス項目は，「視聴状況」または「録画状況」に限定されない。
【０３０６】
ステータスチェックの結果，ステータスが「未視聴」または「未録画」のものが少なくとも１番組以上存在する場合（Ｓ２２０７），当該グループ情報に含まれるＥＰＧ情報ＩＤを参照し，番組ステータス情報に１件ずつアクセスする（Ｓ２２０９）。
【０３０７】
番組ステータス情報を取得すると（Ｓ２２０９），利用者端末１０１は，当該番組ステータス情報の「視聴状況」または「録画状況」等のステータスを確認し，ステータスが「未視聴」もしくは「未録画」である場合（Ｓ２２１１），ＥＰＧ情報ＩＤに該当するＥＰＧ情報にアクセスし，再放送をリクエストするため当該ＥＰＧ情報を作業領域に確保する（Ｓ２２１３）。
【０３０８】
番組ステータス情報に含まれる各ステータスの確認が終了すると（Ｓ２２０９〜Ｓ２２１３），グループ情報に含まれる全番組のうち視聴または録画されなかった番組の再放送をリクエストするための再放送要求情報を，作業領域に確保されたＥＰＧ情報に基づき生成する（Ｓ２２１５）。
【０３０９】
上記再放送要求情報には，ＥＰＧ情報ＩＤや，タイトル，放送日時などが含まれ，さらに必要に応じて，送信元のユーザＩＤや，再放送に対するコメントなどが含まれる。なお，本実施の形態にかかる再放送要求情報は，トランザクションサーバ１２７に送信後，ＭＩＭＥ形式などの電子メールに変換され，メールサーバ１２５に転送されるが，かかる例に限定されず，例えば，直接メールサーバに再放送要求情報をＭＩＭＥ形式等に変換して送信する場合等でも良い。また，録画予約の際も，再放送要求情報とほぼ同形式の録画予約要求情報をトランザクションサーバ１２７に送信する。
【０３１０】
次に，ステータスがグループ番組表の詳細画面の所定位置に表示するため，グループ番組表の詳細画面に表示するため，グループ閲覧・操作部２５０は，詳細画面用の表示画面データを加工する。
【０３１１】
グループ番組に含まれるＥＰＧ情報ＩＤに基づき，全ての番組ステータス情報の確認が終了すると（Ｓ２２０９〜Ｓ２２１３），本実施の形態にかかる再放送要求処理の一連の動作が終了する。
【０３１２】
（再放送決定処理）
次に，図２３を参照しながら，本実施の形態にかかる番組の再放送の決定処理について説明する。図２３は，本実施の形態にかかる再放送決定処理の概略を示すフローチャートである。
【０３１３】
再放送要求処理後，サービス提供側である放送局１０２等で番組の再放送が決定すると，再放送番組のＥＰＧ情報等が作成され，さらにグループ情報に当該再放送番組のＥＰＧ情報ＩＤが登録される。
【０３１４】
図２３に示すように，所定間隔もしくは利用者による指示によって利用者端末１０１は，グループ化装置１２２または放送設備装置１２６にアクセスし，グループ情報，ＥＰＧ情報等の各種情報を要求し，放送局１０２側から，グループ情報や，ＥＰＧ情報等を受信する（Ｓ２３０１）。
【０３１５】
次に，受信したグループ情報に含まれる再放送フラグがＯＮであるＥＰＧ情報ＩＤを抽出し，さらに再放送の元となった番組のＥＰＧ情報ＩＤを抽出する（Ｓ２３０３）。なお，再放送フラグまたは再放送の元のＥＰＧ情報ＩＤは，番組ステータス情報に設定されてもよい。
【０３１６】
次に，再放送フラグがＯＮのＥＰＧ情報ＩＤと上記再放送となった原番組のＥＰＧ情報とを突合処理し，一致していた場合（Ｓ２３０５），再放送番組の録画予約を実行する（Ｓ２３０７）。
【０３１７】
録画予約終了後，番組ステータス情報の「再放送」のステータスを「予約済」に更新し，グループステータス情報の「再放送」のステータスを更新する（Ｓ２３０９）。
【０３１８】
例えば，グループ情報ＩＤが“１００”で，ＥＰＧ情報ＩＤが“１００−３”において，再放送が決定した番組を含むグループ情報のグループ情報ＩＤが“５”で，再放送する元の番組のＥＰＧ情報ＩＤが“５−３”である場合，グループ情報ＩＤ“１００”のグループ情報と，ＥＰＧ情報ＩＤ“１００−３”を受信する（Ｓ２３０１）。
【０３１９】
次に，再放送フラグがＯＮであるグループ情報ＩＤが“５”であるＥＰＧ情報ＩＤ“５−３”を取り出し，グループ情報ＩＤとＥＰＧ情報ＩＤが一致しているか確認する（Ｓ２３０５）。
【０３２０】
一致していた場合，グループ情報ＩＤ“１００”のＥＰＧ情報ＩＤ“１００−３”について，番組の録画予約処理を実行する（Ｓ２３０７）。録画予約処理は，ＥＰＧ情報ＩＤ，タイトル，録画放送日時等を含むリクエスト情報である。上記リクエスト情報をトランザクションサーバ１２７に送信すると，トランザクションサーバ１２７側で，要求情報を生成し，各端末に接続された各種の録画装置に録画させるため，当該利用者端末１０１に送信する。
【０３２１】
録画予約処理が終了すると，グループ情報ＩＤ“５”で，ＥＰＧ情報ＩＤが“５−３”の番組ステータス情報の「再放送」のステータスは，「予約済」に更新される（Ｓ２３０９）。以上で，本実施の形態にかかる再放送決定処理の一連の動作が終了する。
【０３２２】
以上説明したように，１又は２以上の番組を適当な属性でグループ化することで，グループ単位で番組を管理することが可能となる。また，当該グループ内の番組に関する番組情報を統括するグループ情報を生成することで，番組全体の放送状況や，録画予約状況等のステータスを容易に画面表示または提供することができ，ユーザは容易にステータスを把握し，今後の視聴スケジュール，録画予約スケジュールを迅速，効率的に計画することができる。
【０３２３】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【０３２４】
上記実施形態においては，グループ情報を受信し，利用者端末１０１の表示画面にＥＰＧ形式のグループ番組表を表示する場合を例にあげて説明したが，かかる例に限定されず，例えば，グループ情報，番組メタ情報，コンテンツメタ情報を受信し，利用者端末１０１の表示画面にＥＣＧ形式からなるグループ番組表などを表示する場合などでも実施可能である。
【０３２５】
また，上記実施の形態においては，利用者端末１０１がネットワーク１０３を介して放送局１０２にアクセスし，グループ情報の受信する場合を例にあげて説明したが，かかる例に限定されず，グループ情報を放送波で放送局１０２からカルーセル方式等で送出することで，利用者端末１０１が受信する場合等も実施できる。
【０３２６】
上記実施形態においては，利用者端末１０１に備わる各部はハードウェアからなる場合を例にあげて説明したが，本発明はかかる例に限定されない。例えば，映像ストリーム再生部２４１，データ放送再生部２４３，番組情報再生部２４６，ＥＰＧ閲覧・操作部２４８，グループ閲覧・操作部２５０，または周辺機器制御部２５８等の各部のうち少なくとも一つは，１又は２以上のモジュールまたはコンポーネントから構成されるプログラムの場合であってもよい。
【０３２７】
上記実施の形態においては，グループ番組表等を画面に表示するＷｅｂブラウザは１又は２以上のモジュールから構成されるソフトウェアである場合を例に挙げて説明したが，かかる例に限定されず，例えば，ハードウェアから構成される場合であっても実施可能である。例えば，Ｗｅｂブラウザは，ＥＰＧ閲覧・操作部２４８，グループ閲覧・操作部２５０などに該当する場合であってもよい。
【産業上の利用可能性】
【０３２８】
本発明は，グループ番組表を表示することが可能なグループ番組処理方法，グループ番組表表示装置，コンピュータプログラムに適用可能である。
【図面の簡単な説明】
【０３２９】
【図１】本実施の形態にかかるグループ番組表提供システムの概略的な構成を示すブロック図である。
【図２】本実施の形態にかかるグループ情報をネットワークを介して配信する概略を示す説明図である。
【図３】本実施の形態にかかるグループ情報等を放送波を介して配信する概略を示す説明図である。
【図４】本実施の形態にかかる放送局および利用者端末の概略的な構成を示すブロック図である。
【図５】本実施の形態にかかる利用者端末の表示画面に表示されたグループ番組表の概略を説明するための説明図である。
【図６】本実施の形態にかかるマイグループ番組表の概略的な構成を示す説明図である。
【図７】本実施の形態にかかるグループ番組の詳細表示の概略的な構成を示す説明図である。
【図８】本実施の形態にかかるサービス提供側の管理画面の概略的な構成を示す説明図である。
【図９】図５に示すグループ番組表の変形例である。
【図１０】本実施の形態にかかるＥＰＧ情報のデータ構造を示す説明図である。
【図１１】本実施の形態にかかるコンテンツメタ情報のデータ構造を示す説明図である。
【図１２】本実施の形態にかかるグループ情報のデータ構造の概略を示す説明図である。
【図１３】本実施の形態にかかるひも付けメタ情報のデータ構造を示す説明図である。
【図１４】本実施の形態にかかるグループ情報を処理する工程の概略を示す説明図である。
【図１５】本実施の形態にかかるグループ番組の管理の工程を概略的に示すフローチャートである。
【図１６】本実施の形態にかかるグループ情報の制作処理の概略的な構成を示すフローチャートである。
【図１７】本実施の形態にかかるグループ情報受信処理の概略を示すフローチャートである。
【図１８】本実施の形態にかかるグループ情報受信処理の概略を示すフローチャートである。
【図１９】本実施の形態にかかるグループ番組表表示処理の概略を示すフローチャートである。
【図２０】本実施の形態にかかるグループステータス情報の表示処理の概略を示すフローチャートである。
【図２１】本実施の形態にかかるグループ情報の詳細表示の概略を示すフローチャートである。
【図２２】本実施の形態にかかる再放送要求処理の概略を示すフローチャートである。
【図２３】本実施の形態にかかる再放送決定処理の概略を示すフローチャートである。
【符号の説明】
【０３３０】
１００      グループ番組表提供システム
１０１      利用者端末
１０２      放送局
１０３      ネットワーク
１１８      制御端末
２３５      表示部
２３７      入力部
２３８      送信部
２４０      制御部
２４８      ＥＰＧ閲覧・操作部
２５０      グループ閲覧・操作部
【図１】
2005286388.tif 000003
【図２】
2005286388.tif 000004
【図３】
2005286388.tif 000005
【図４】
2005286388.tif 000006
【図５】
2005286388.tif 000007
【図６】
2005286388.tif 000008
【図７】
2005286388.tif 000009
【図８】
2005286388.tif 000010
【図９】
2005286388.tif 000011
【図１０】
2005286388.tif 000012
【図１１】
2005286388.tif 000013
【図１２】
2005286388.tif 000014
【図１３】
2005286388.tif 000015
【図１４】
2005286388.tif 000016
【図１５】
2005286388.tif 000017
【図１６】
2005286388.tif 000018
【図１７】
2005286388.tif 000019
【図１８】
2005286388.tif 000020
【図１９】
2005286388.tif 000021
【図２０】
2005286388.tif 000022
【図２１】
2005286388.tif 000023
【図２２】
2005286388.tif 000024
【図２３】
2005286388.tif 000025